(57)【要約】  １つ以上のトランシーバと衛星ポジショニングシステム（ＳＰＳ）受信機との共存を管理するための方法、システム、コンピュータ読取可能媒体、および、装置を提示する。いくつかの実施形態では、デバイスは、少なくとも第１の共存ルールに基づいて、第１の無線アクセステクノロジー（ＲＡＴ）にしたがう、１つ以上のトランシーバのうちの第１のトランシーバが、時間期間内に第１の周波数帯域を介して、パケットを送信することができるか否かを決定する。第１の共存ルールは、少なくとも第１のトランシーバ上の少なくとも第１のＲＡＴの動作による、ＳＰＳ受信機上の影響に対応する。第１のＲＡＴにしたがう第１のトランシーバは、時間期間内に第１の周波数帯域を介してパケットを送信できないという決定に基づいて、第２のＲＡＴにしたがい、第２の周波数帯域を介して、パケットを送信する。【選択図】図５
2018526910.tif 000002
【特許請求の範囲】
【請求項１】
１つ以上のトランシーバと衛星ポジショニングシステム（ＳＰＳ）受信機との共存を管理するための方法において、
少なくとも第１の共存ルールに基づいて、第１の無線アクセステクノロジー（ＲＡＴ）にしたがう、前記１つ以上のトランシーバのうちの第１のトランシーバが、時間期間内に第１の周波数帯域を介して、パケットを送信することができるか否かを決定することと、
前記第１のＲＡＴにしたがう前記第１のトランシーバは、前記時間期間内に第１の周波数帯域を介してパケットを送信できないという決定に基づいて、第２のＲＡＴにしたがい、第２の周波数帯域を介して、前記パケットを送信することとを含み、
前記第１の共存ルールは、少なくとも前記第１のトランシーバ上の少なくとも前記第１のＲＡＴの動作による、前記ＳＰＳ受信機上の影響に対応する方法。
【請求項２】
前記第２のＲＡＴは、前記第２のＲＡＴにしたがう少なくとも第２のトランシーバの動作による、前記ＳＰＳ受信機上の影響に対応する第２の共存ルールに関係付けられている請求項１記載の方法。
【請求項３】
前記第１のＲＡＴおよび前記第２のＲＡＴは、共通のタイプのワイヤレスネットワークに対応し、前記第１の周波数帯域は、前記第２の周波数帯域とは異なる請求項１記載の方法。
【請求項４】
前記共通のタイプのワイヤレスネットワークは、ワイヤレスローカルエリアネットワーク（ＷＬＡＮ）を含む請求項３記載の方法。
【請求項５】
前記第１の共存ルールは、前記第１のＲＡＴを使用する前記第１のトランシーバと、第３のＲＡＴを使用する第２のトランシーバとの並行動作による、前記ＳＰＳ受信機上の影響に対応する請求項１記載の方法。
【請求項６】
前記第１のＲＡＴは、ワイヤレスローカルエリアネットワーク（ＷＬＡＮ）であり、前記第３のＲＡＴは、ワイヤレスワイドエリアネットワーク（ＷＷＡＮ）である請求項５記載の方法。
【請求項７】
前記第２のＲＡＴにしたがう前記パケットの送信は、前記ＳＰＳ受信機上の干渉を低減させる請求項１記載の方法。
【請求項８】
前記パケットの送信のために、１つ以上のＲＡＴの間から前記第２のＲＡＴを選択することをさらに含む請求項１記載の方法。
【請求項９】
前記第１のＲＡＴは、前記第１のトランシーバによる送信のためのプライマリーＲＡＴである請求項１記載の方法。
【請求項１０】
前記第１の共存ルールに基づいて、前記第１のＲＡＴ上で１つ以上の他のパケットを送信することをさらに含む請求項１記載の方法。
【請求項１１】
少なくとも前記第１のトランシーバ上の少なくとも前記第１のＲＡＴの動作が、干渉に寄与する請求項１記載の方法。
【請求項１２】
共存を管理する装置において、
衛星ポジショニングシステム（ＳＰＳ）受信機と、
１つ以上のトランシーバと、
メモリと、
前記ＳＰＳ受信機と前記１つ以上のトランシーバと前記メモリとに結合されている少なくとも１つのプロセッサとを具備し、
前記少なくとも１つのプロセッサは、
少なくとも第１の共存ルールに基づいて、第１の無線アクセステクノロジー（ＲＡＴ）にしたがう、前記１つ以上のトランシーバのうちの第１のトランシーバが、時間期間内に第１の周波数帯域を介して、パケットを送信することができるか否かを決定するようにと、
前記第１のＲＡＴにしたがう前記第１のトランシーバは、前記時間期間内に第１の周波数帯域を介してパケットを送信できないという決定に基づいて、第２のＲＡＴにしたがい、第２の周波数帯域を介して、前記パケットを送信するように構成され、
前記第１の共存ルールは、少なくとも前記第１のトランシーバ上の少なくとも前記第１のＲＡＴの動作による、前記ＳＰＳ受信機上の影響に対応する装置。
【請求項１３】
前記第２のＲＡＴは、前記第２のＲＡＴにしたがう少なくとも第２のトランシーバの動作による、前記ＳＰＳ受信機上の影響に対応する第２の共存ルールに関係付けられている請求項１２記載の装置。
【請求項１４】
前記第１のＲＡＴおよび前記第２のＲＡＴは、共通のタイプのワイヤレスネットワークに対応し、前記第１の周波数帯域は、前記第２の周波数帯域とは異なる請求項１２記載の装置。
【請求項１５】
前記共通のタイプのワイヤレスネットワークは、ワイヤレスローカルエリアネットワーク（ＷＬＡＮ）を含む請求項１４記載の装置。
【請求項１６】
前記第１の共存ルールは、前記第１のＲＡＴを使用する前記第１のトランシーバと、第３のＲＡＴを使用する第２のトランシーバとの並行動作による、前記ＳＰＳ受信機上の影響に対応する請求項１２記載の装置。
【請求項１７】
前記第１のＲＡＴは、ワイヤレスローカルエリアネットワーク（ＷＬＡＮ）であり、前記第３のＲＡＴは、ワイヤレスワイドエリアネットワーク（ＷＷＡＮ）である請求項１６記載の装置。
【請求項１８】
前記第２のＲＡＴにしたがう前記パケットの送信は、前記ＳＰＳ受信機上の干渉を低減させる請求項１２記載の装置。
【請求項１９】
前記少なくとも１つのプロセッサは、前記パケットの送信のために、１つ以上のＲＡＴの間から前記第２のＲＡＴを選択するようにさらに構成されている請求項１２記載の装置。
【請求項２０】
前記第１のＲＡＴは、前記第１のトランシーバによる送信のためのプライマリーＲＡＴである請求項１２記載の装置。
【請求項２１】
前記少なくとも１つのプロセッサは、前記第１の共存ルールに基づいて、前記第１のＲＡＴ上で１つ以上の他のパケットを送信するようにさらに構成されている請求項１２記載の装置。
【請求項２２】
少なくとも前記第１のトランシーバ上の少なくとも前記第１のＲＡＴの動作が、干渉に寄与する請求項１２記載の装置。
【請求項２３】
１つ以上のトランシーバと衛星ポジショニングシステム（ＳＰＳ）受信機との共存を管理する装置において、
少なくとも第１の共存ルールに基づいて、第１の無線アクセステクノロジー（ＲＡＴ）にしたがう、前記１つ以上のトランシーバのうちの第１のトランシーバが、時間期間内に第１の周波数帯域を介して、パケットを送信することができるか否かを決定する手段と、
前記第１のＲＡＴにしたがう前記第１のトランシーバは、前記時間期間内に第１の周波数帯域を介してパケットを送信できないという決定に基づいて、第２のＲＡＴにしたがい、第２の周波数帯域を介して、前記パケットを送信する手段とを具備し、
前記第１の共存ルールは、少なくとも前記第１のトランシーバ上の少なくとも前記第１のＲＡＴの動作による、前記ＳＰＳ受信機上の影響に対応する装置。
【請求項２４】
前記第２のＲＡＴは、前記第２のＲＡＴにしたがう少なくとも第２のトランシーバの動作による、前記ＳＰＳ受信機上の影響に対応する第２の共存ルールに関係付けられている請求項２３記載の装置。
【請求項２５】
前記第１のＲＡＴおよび前記第２のＲＡＴは、共通のタイプのワイヤレスネットワークに対応し、前記第１の周波数帯域は、前記第２の周波数帯域とは異なる請求項２３記載の装置。
【請求項２６】
前記共通のタイプのワイヤレスネットワークは、ワイヤレスローカルエリアネットワーク（ＷＬＡＮ）を含む請求項２５記載の装置。
【請求項２７】
前記第１の共存ルールは、前記第１のＲＡＴを使用する前記第１のトランシーバと、第３のＲＡＴを使用する第２のトランシーバとの並行動作による、前記ＳＰＳ受信機上の影響に対応する請求項２３記載の装置。
【請求項２８】
前記第１のＲＡＴは、ワイヤレスローカルエリアネットワーク（ＷＬＡＮ）であり、前記第３のＲＡＴは、ワイヤレスワイドエリアネットワーク（ＷＷＡＮ）である請求項２７記載の装置。
【請求項２９】
前記第２のＲＡＴにしたがう前記パケットの送信は、前記ＳＰＳ受信機上の干渉を低減させる請求項２３記載の装置。
【請求項３０】
１つ以上のトランシーバと衛星ポジショニングシステム（ＳＰＳ）受信機との共存を管理するための非一時的プロセッサ読取可能媒体において、
１つ以上のプロセッサに、
少なくとも第１の共存ルールに基づいて、第１の無線アクセステクノロジー（ＲＡＴ）にしたがう、前記１つ以上のトランシーバのうちの第１のトランシーバが、時間期間内に第１の周波数帯域を介して、パケットを送信することができるか否かを決定させ、
前記第１のＲＡＴにしたがう前記第１のトランシーバは、前記時間期間内に第１の周波数帯域を介してパケットを送信できないという決定に基づいて、第２のＲＡＴにしたがい、第２の周波数帯域を介して、前記パケットを送信させるように構成されているプロセッサ読取可能命令を含み、
前記第１の共存ルールは、少なくとも前記第１のトランシーバ上の少なくとも前記第１のＲＡＴの動作による、前記ＳＰＳ受信機上の影響に対応する非一時的プロセッサ読取可能媒体。
【発明の詳細な説明】
【技術分野】
【０００１】
［０００１］
本願は一般的にワイヤレス通信に関連し、より具体的には、衛星ポジショニングシステム（ＳＰＳ）並行を伴うマルチ搬送波システムにおけるスループットの向上に関連する。
【背景】
【０００２】
［０００２］
無線アクセステクノロジー（ＲＡＴ）トランシーバがアンテナを介してデータをワイヤレスに送信しているとき、同じデバイス上に位置付けられている衛星ポジショニングシステム（ＳＰＳ）受信機は、ロケーション決定を実行するために、受信したＳＰＳ信号を処理することができるかもしれないし、できないかもしれない。送信しているときに、ＲＡＴトランシーバは、いくつかの状況では、ＳＰＳ信号を適切に受信して処理するＳＰＳ受信機の能力に否定的な影響を及ぼす、十分な量の雑音および／または干渉を生成させるかもしれない。結果として、同じ位置のＳＰＳ受信機の性能は、ＲＡＴトランシーバが送信している時間の間、低下する。ＲＡＴトランシーバが送信している間、ＳＰＳ受信機は、受信したＳＰＳ信号をブランクにするまたはそうでなければ無視するように命じられるかもしれない。このような構成は、結果として、ロケーション決定がＳＰＳ受信機によって実行できない、または、大幅に損なわれる、かなりの時間期間となるかもしれない。複数のＲＡＴトランシーバがデバイス上に存在する場合、このような出来事は悪化するかもしれない。
【図面の簡単な説明】
【０００３】
［０００３］
以下の図面を参照することにより、さまざまな実施形態の性質および利点のさらなる理解を実現することができる。添付された図面において、同様なコンポーネントまたは特徴は、同じ参照ラベルを有していてもよい。さらに、同じタイプのさまざまなコンポーネントは、ダッシュと、同様のコンポーネント間を区別する第２のラベルとが参照ラベルに続くことによって区別できる。明細書中で第１の参照ラベルのみが使用される場合、説明は、第２の参照ラベルに関係なく、同じ第１の参照ラベルを有する同様なコンポーネントのうちのいずれか１つに適用可能である。
【図１】［０００４］  図１は、本開示の１つの実施形態にしたがう、移動体デバイスによる衛星ポジショニングシステム（ＳＰＳ）信号の受信が、移動体デバイスによるワイヤレス信号の送信の間、感度低下されるかもしれない、環境の簡略化されたダイヤグラムを図示している。
【図２】［０００５］  図２は、本開示の１つの実施形態にしたがう、ＳＰＳ受信機と複数の無線アクセステクノロジー（ＲＡＴ）トランシーバとを含むデバイスの実施形態を図示している。
【図３】［０００６］  図３Ａは、本開示の１つの実施形態にしたがう、ＷＷＡＮ（ワイヤレスワイドエリアネットワーク）が並行して動作し、ＷＷＡＮとワイヤレスローカルエリアネットワーク（ＷＬＡＮ）との相互変調による感度低下をＳＰＳにもたらしている間の、ＳＰＳ受信機とＷＬＡＮとの間におけるリソースの例示的なスケジューリングを図示している。    図３Ｂは、本開示の１つの実施形態にしたがう、ＷＷＡＮ（ワイヤレスワイドエリアネットワーク）が並行して動作し、ＷＷＡＮとワイヤレスローカルエリアネットワーク（ＷＬＡＮ）との相互変調による感度低下をＳＰＳにもたらしている間の、ＳＰＳ受信機とＷＬＡＮとの間におけるリソースの例示的なスケジューリングを図示している。    図３Ｃは、本開示の１つの実施形態にしたがう、ＷＷＡＮ（ワイヤレスワイドエリアネットワーク）が並行して動作し、ＷＷＡＮとワイヤレスローカルエリアネットワーク（ＷＬＡＮ）との相互変調による感度低下をＳＰＳにもたらしている間の、ＳＰＳ受信機とＷＬＡＮとの間におけるリソースの例示的なスケジューリングを図示している。
【図４】［０００７］  図４は、本開示の１つの実施形態にしたがう、送信パケットが遅延される例示的なスケジューリングシナリオを図示している。
【図５】［０００８］  図５Ａは、本開示の１つの実施形態にしたがう、１つ以上のＲＡＴトランシーバとＳＰＳ受信機との共存のための例示的なスケジューリングシナリオを図示している。    図５Ｂは、本開示の１つの実施形態にしたがう、１つ以上のＲＡＴトランシーバとＳＰＳ受信機との共存のための例示的なスケジューリングシナリオを図示している。    図５Ｃは、本開示の１つの実施形態にしたがう、１つ以上のＲＡＴトランシーバとＳＰＳ受信機との共存のための例示的なスケジューリングシナリオを図示している。
【図６】［０００９］  図６Ａは、本開示の１つの実施形態にしたがう、ＳＰＳ受信機上における、図５Ａから５Ｃ中に図示した方法の利益を図示している。    図６Ｂは、本開示の１つの実施形態にしたがう、ＳＰＳ受信機上における、図５Ａから５Ｃ中に図示した方法の利益を図示している。    図６Ｃは、本開示の１つの実施形態にしたがう、ＳＰＳ受信機上における、図５Ａから５Ｃ中に図示した方法の利益を図示している。    ［００１０］  図６Ｄは、１つ以上のＲＡＴトランシーバとＳＰＳ受信機との共存のための例示的なスケジューリングシナリオを図示している。
【図７】［００１１］  図７は、本開示の１つの実施形態にしたがう、送信パケットが制限される、１つ以上のＲＡＴトランシーバとＳＰＳ受信機との共存のための例示的なスケジューリングシナリオを図示している。
【図８】［００１２］  図８Ａは、本開示の１つの実施形態にしたがう、１つ以上のＲＡＴトランシーバとＳＰＳ受信機との共存のためのスケジューリング解決法を図示している。    図８Ｂは、本開示の１つの実施形態にしたがう、１つ以上のＲＡＴトランシーバとＳＰＳ受信機との共存のためのスケジューリング解決法を図示している。    図８Ｃは、本開示の１つの実施形態にしたがう、１つ以上のＲＡＴトランシーバとＳＰＳ受信機との共存のためのスケジューリング解決法を図示している。
【図９】［００１３］  図９Ａは、本開示の１つの実施形態にしたがう、ＳＰＳ受信機上における、図５Ａから５Ｃ中に図示した方法の利益を図示している。    図９Ｂは、本開示の１つの実施形態にしたがう、ＳＰＳ受信機上における、図５Ａから５Ｃ中に図示した方法の利益を図示している。    図９Ｃは、本開示の１つの実施形態にしたがう、ＳＰＳ受信機上における、図５Ａから５Ｃ中に図示した方法の利益を図示している。    ［００１４］  図９Ｄは、１つ以上のＲＡＴトランシーバとＳＰＳ受信機との共存のための例示的なスケジューリングシナリオを図示している。
【図１０】［００１５］  図１０は、本開示の１つの実施形態にしたがう、１つ以上のＲＡＴトランシーバとＳＰＳ受信機との共存を管理するための方法の実施形態を図示している。
【図１１】［００１６］  図１１は、本開示の１つの実施形態にしたがう、提案する技術のスループット向上を示す例示的なグラフを図示している。
【図１２】［００１７］  図１２は、本開示の１つの実施形態にしたがう、移動体デバイスのようなコンピュータシステムの実施形態を図示している。
【概要】
【０００４】
［００１８］
１つの例において、１つ以上のトランシーバと衛星ポジショニングシステム（ＳＰＳ）受信機との共存を管理するための方法を開示する。方法は、少なくとも第１の共存ルールに基づいて、第１の無線アクセステクノロジー（ＲＡＴ）にしたがう、１つ以上のトランシーバのうちの第１のトランシーバが、時間期間内に第１の周波数帯域を介して、パケットを送信することができるか否かを決定することを含んでいる。第１の共存ルールは、少なくとも第１のトランシーバ上の少なくとも第１のＲＡＴの動作による、ＳＰＳ受信機上の影響に対応する。第１のＲＡＴにしたがう第１のトランシーバは、時間期間内に第１の周波数帯域を介してパケットを送信できないという決定に基づいて、デバイスは、第２のＲＡＴにしたがい、第２の周波数帯域を介して、パケットを送信する。
【０００５】
［００１９］
１つの例において、第１のＲＡＴは、第１のトランシーバによる送信のためのプライマリーＲＡＴである。例として、デバイスは、第１の共存ルールに基づいて、第１のＲＡＴ上で１つ以上のパケットを送信してもよく、第２のＲＡＴ上で他のパケットを送信してもよい。
【０００６】
［００２０］
１つの例では、少なくとも第１のトランシーバ上の少なくとも第１のＲＡＴの動作が、干渉に寄与する。
【０００７】
［００２１］
１つの例では、第２のＲＡＴは、第２のＲＡＴにしたがう少なくとも第２のトランシーバの動作による、ＳＰＳ受信機上の影響に対応する第２の共存ルールに対応する。
【０００８】
［００２２］
１つの例では、第１のＲＡＴおよび第２のＲＡＴは、共通のタイプのワイヤレスネットワークに対応する。第１の周波数帯域は、第２の周波数帯域とは異なっていてもよい。例えば、第１のＲＡＴおよび第２のＲＡＴは、ＷＬＡＮであってもよい。第１のＲＡＴは、２．４ＧＨｚ周波数帯域を使用してもよく、第２のＲＡＴは、５ＭＨｚ周波数帯域を使用してもよい。一般的に、共通タイプのワイヤレスネットワークは、特定のタイプのテクノロジーのワイヤレスネットワークを指してもよい。例えば、共通タイプのワイヤレスネットワークは、ＷＷＡＮ、ＷＬＡＮ、または、他の何らかのタイプのワイヤレスネットワークであってもよい。共通タイプのワイヤレスネットワークはまた、特定の世代のワイヤレスネットワークテクノロジーであってもよい。共通のタイプのワイヤレスネットワークは、コード分割多元接続（ＣＤＭＡ）、広帯域コード分割多元接続（ＷＣＤＭＡ（登録商標））、高速パケットアクセス（ＨＳＰＡ）、ＨＳＰＡ＋、およびこれらに類するものであってもよい。別の例では、共通タイプのワイヤレスネットワークは、８０２．１１ａｃ、８０２．１１ａｄ、８０２．１１ｎ、または、他の何らかのタイプのネットワークであってもよい。ワイヤレスネットワークはまた、セルラまたは非セルラネットワークであってもよい。
【０００９】
［００２３］
用語セルラは、移動体デバイスと基地局との間の相互作用に対応する任意のセルラテクノロジー（例えば、ロングタームエボリューション（ＬＴＥ（登録商標））、マイクロ波アクセスのための世界相互運用（ＷｉＭａｘ）、移動体通信のためのグローバルシステム（ＧＳＭ（登録商標））、ＷＣＤＭＡ、ＣＤＭＡ、およびこれらに類するもの）を指すためにここで使用する。用語非セルラは、ＷＬＡＮ、ブルートゥース（登録商標）、および、これらに類するもののような、セルラトポロジーを使用しない、任意のワイヤードまたはワイヤレステクノロジーを指すためにここで使用する。
【００１０】
［００２４］
１つの例では、第１のＲＡＴおよび第２のＲＡＴは、ＷＬＡＮに対応するが、異なる周波数帯域上で動作する。第２のトランシーバはまた、第３のＲＡＴ（例えば、ＷＷＡＮ）に対応して、並行して動作してもよい。別の例では、第１および第２のＲＡＴは、異なる周波数で動作するＷＷＡＮであり、第３のＲＡＴ（例えば、ＷＬＡＮ）はまた、第１および／または第２のＲＡＴと並行して動作すると考えられてもよい。他の何らかのシナリオもまた、本開示の教示から逸脱することなく考えられてもよい。トランシーバのそれぞれは、１つ以上のＲＡＴにしたがう動作ができてもよいことに留意すべきである。例えば、第１のトランシーバは、ＷＬＡＮ１またはＷＬＡＮ２を使用して動作できてもよい。第２のトランシーバは、ＷＷＡＮを使用して動作できてもよい。別の例では、第１のトランシーバは、ＷＬＡＮ１を使用して動作できてもよく、第２のトランシーバは、ＷＬＡＮ２を使用して動作できてもよく、第３のトランシーバは、ＷＷＡＮを使用して動作できてもよい。一般的に、任意の数のトランシーバがデバイス中に存在していてもよい。さらに、トランシーバのそれぞれは、本開示の教示から逸脱することなく、１つ以上のＲＡＴを使用して動作できてもよい。
【００１１】
［００２５］
１つの例では、第１の共存ルールは、第１のＲＡＴを使用する第１のトランシーバと、第３のＲＡＴを使用する第２のトランシーバとの並行動作による、ＳＰＳ受信機上の影響に対応する。例えば、第１のＲＡＴはＷＬＡＮであり、第３のＲＡＴはＷＷＡＮである。１つの例では、方法は、一部分に、パケット送信のために、１つ以上のＲＡＴの間から第２のＲＡＴを選択することをさらに含んでいる。
【００１２】
［００２６］
１つの例では、共存を管理する装置を開示する。装置は、衛星ポジショニングシステム（ＳＰＳ）受信機と、１つ以上のトランシーバと、メモリと、ＳＰＳ受信機と１つ以上のトランシーバとメモリとに結合されている少なくとも１つのプロセッサとを部分的に含んでいる。少なくとも１つのプロセッサは、少なくとも第１の共存ルールに基づいて、第１の無線アクセステクノロジー（ＲＡＴ）にしたがう、１つ以上のトランシーバのうちの第１のトランシーバが、時間期間内に第１の周波数帯域を介して、パケットを送信することができるか否かを決定するように構成されている。第１の共存ルールは、少なくとも第１のトランシーバ上の少なくとも第１のＲＡＴの動作による、ＳＰＳ受信機上の影響に対応する。少なくとも１つのプロセッサは、第１のＲＡＴにしたがう第１のトランシーバが、時間期間内に第１の周波数帯域を介してパケットを送信できないという決定に基づいて、第２のＲＡＴにしたがい、第２の周波数帯域を介して、パケットを送信するようにさらに構成されている。
【００１３】
［００２７］
１つの例では、１つ以上のトランシーバとＳＰＳ受信機との共存を管理する装置を開示する。装置は、一部分に、送信されるパケットを取得する手段、少なくとも第１の共存ルールに基づいて、第１の無線アクセステクノロジー（ＲＡＴ）にしたがう、１つ以上のトランシーバのうちの第１のトランシーバが、時間期間内に第１の周波数帯域を介して、パケットを送信することができるか否かを決定する手段を含んでいる。第１の共存ルールは、少なくとも第１のトランシーバ上の少なくとも第１のＲＡＴの動作による、ＳＰＳ受信機上の影響に対応する。装置は、一部分に、第１のＲＡＴにしたがう第１のトランシーバは、時間期間内に第１の周波数帯域を介してパケットを送信できないという決定に基づいて、第２のＲＡＴにしたがい、第２の周波数帯域を介して、パケットを送信する手段をさらに含んでいる。
【００１４】
［００２８］
１つの例では、１つ以上のトランシーバとＳＰＳ受信機との共存を管理するための非一時的プロセッサ読取可能媒体を開示する。非一時的プロセッサ読取可能媒体は、１つ以上のプロセッサに、少なくとも第１の共存ルールに基づいて、第１の無線アクセステクノロジー（ＲＡＴ）にしたがう、１つ以上のトランシーバのうちの第１のトランシーバが、時間期間内に第１の周波数帯域を介して、パケットを送信することができるか否かを決定させるように構成されているプロセッサ読取可能命令を含む。第１の共存ルールは、少なくとも第１のトランシーバ上の少なくとも第１のＲＡＴの動作による、ＳＰＳ受信機上の影響に対応する。プロセッサ読取可能命令は、１つ以上のプロセッサに、第１のＲＡＴにしたがう前記第１のトランシーバは、時間期間内に第１の周波数帯域を介してパケットを送信できないという決定に基づいて、第２のＲＡＴにしたがい、第２の周波数帯域を介して、パケットを送信させるようにさらに構成されている。
【詳細な説明】
【００１５】
［００２９］
いくつかの例示的な実施形態を、これに関する一部を形成する添付図面に関して説明する。本開示の１つ以上の態様が実現される特定の実施形態を以下に説明するが、本開示の範囲または添付の特許請求の範囲の精神から逸脱することなく、他の実施形態を使用でき、また、さまざまな変更を行うことができる。
【００１６】
［００３０］
用語、無線アクセステクノロジー（ＲＡＴ）は、ワイヤレスワイドエリアネットワーク（ＷＷＡＮ）、ワイヤレスローカルエリアネットワーク（ＷＬＡＮ）、パーソナルエリアネットワーク（ＰＡＮ）、および、これらに類するものを含むがこれらに限定されない、信号を送信／受信するために使用される任意のタイプの無線テクノロジーを指すためにここで使用する。
【００１７】
［００３１］
用語、衛星ポジショニングシステム（ＳＰＳ）は、異なるグローバルナビゲーション衛星システム（ＧＮＳＳ）、および／または、リージョナルポジショニングシステムを含む、さまざまなタイプの衛星ポジショニングシステムを指すためにここで使用する。例えば、ＳＰＳシステムは、グローバルポジショニングシステム（ＧＰＳ）、グローバルナビゲーション衛星システム（ＧＬＯＮＡＳＳ）、ガリレオ、北斗、および／または、他のタイプの衛星ポジショニングシステムであってもよい。一般的に、ＳＰＳシステムは、単独でまたは互いに関連してのいずれかで使用される、これらの異なるタイプのシステムのうちの１つ以上であってもよい。
【００１８】
［００３２］
用語「トランシーバ」は、１つ以上の無線アクセステクノロジー下で動作できる送信機および／または受信機を指すためにここで使用する。１つの実施形態において、１つ以上のトランシーバは、これらのコンポーネント（例えば、ベース帯域コンポーネント）のうちのいくつかを共有してもよい。１つの実施形態において、トランシーバは、１つ以上の無線周波数（ＲＦ）チェーンを有していてもよく、それぞれは、類似するまたは異なるＲＡＴに対応する。トランシーバ中のコンポーネントの他の何らかの組み合わせは、本開示の教示から逸脱することなく可能であってもよい。
【００１９】
［００３３］
ワイヤレス通信能力とともにＳＰＳ能力を有する移動体デバイスによって直面する共通の問題は、移動体デバイス内のワイヤレス通信およびＳＰＳシステムの共存である。特に、干渉または「感度低下させること」は、移動体デバイスが、同時に、ワイヤレス信号を送信し、ＳＰＳ信号を受信しようと試行するときに生じることがある。ワイヤレス信号の送信および／またはこのような送信から生じる相互変調積は、ＳＰＳ信号の適切な受信に影響を与える干渉につながることがある。例えば、干渉は、ＳＰＳ信号のうちの１つ以上を獲得することの失敗、ＳＰＳ信号の破損、受信に成功したＳＰＳ信号の数／頻度の低下をもたらすかもしれず、ＳＰＳベースのポジショニングが低下等する。本発明の実施形態は、このような「感度低下する」問題を取り扱うために、移動体デバイスによる、ワイヤレス信号の送信およびＳＰＳ信号の受信を管理することに向けられている。
【００２０】
［００３４］
単一のまたは複数の並行ＲＡＴ送信（例えば、ＷＬＡＮおよび／またはロングタームエボリューション（ＬＴＥ））は、同じ場所に配置されたマルチ無線移動体デバイスに対して、ＳＰＳ（例えば、ＧＮＳＳ）感度低下問題をもたらす。例えば、２．４ＧＨｚ  ＷＬＡＮおよび８００ＭＨｚ  ＷＡＮの並行動作は、結果として、ＧＮＳＳ帯域中の相互変調積（ＩＭ２）となるかもしれない（２．４ＧＨｚ−８００ＭＨｚ=ＧＮＳＳ  Ｌ１中の１６００ＭＨｚ）。別の例では、５ＧＨｚ  ＷＬＡＮと１７００ＭＨｚ  ＷＡＮの並行動作は、結果として、ＧＮＳＳ帯域中の相互変調積（ＩＭ３）となるかもしれない（５ＧＨｚ−２ｘ１７００ＭＨｚ＝ＧＮＳＳ  Ｌ１中の１６００ＭＨｚ）。さらに別の例では、搬送波アグリゲーション（２ｘＵＬ  ＣＡ）ＬＴＥ／ＷＷＡＮ８００ＭＨｚ＋１７００ＭＨｚおよび２．４ＧＨｚ＋５ＧＨｚ  ＷＬＡＮデュアル帯域同時（ＤＢＳ）は、結果として、ＧＮＳＳ帯域中の相互変調積となるかもしれない（２．４ＧＨｚ−８００ＭＨｚ＆５ＧＨｚ−２ｘ１７００ＭＨｚ＝ＧＮＳＳ  Ｌ１中の１６００ＭＨｚ）。
【００２１】
［００３５］
相互変調（ＩＭ）によってもたらされるＳＰＳ感度低下問題を緩和するために、現在の技術的な方法は、ＷＬＡＮデューティサイクル制限とともにＳＰＳブランクを実行する。しかしながら、これらの方法は、並行動作の間、ＷＬＡＮとＳＰＳの両方で、損なわれた性能につながる。
【００２２】
［００３６］
一般的に、ＷＬＡＮおよびＷＷＡＮの並行動作が、結果として、ＳＰＳ動作を感度低下させる相互変調（ＩＭ）積となるとき、ＳＰＳ  ＲＸブランクが実行される。ＳＰＳ受信機ブランク方法において、ＳＰＳ相関は、これらのＲＡＴ  ＴＸイベントの間、抑制される。例えば、サンプルメモリは、ゼロにされるかもしれず、および／または、自動利得制御（ＡＧＣ）は、凍結されるかもしれない。
【００２３】
［００３７］
現在では、（いくらかの感度喪失を伴う）ＳＰＳ動作を維持するために、ＷＬＡＮがデューティサイクル制御される。ＷＬＡＮデューティサイクル（ＴＸ  アクティブ）は、ＳＰＳ受信機の正しい動作を確実なものとするために、任意の予め定められた（例えば、２０ミリ秒）決定単位間隔で、５０パーセント未満になるように通常要求される。デューティサイクル制限スキームは、半分までＷＬＡＮスループットを低下させる、ＷＬＡＮパケットスケジューリング修正を必要とする。
【００２４】
［００３８］
図１は、移動体デバイスによるＳＰＳ信号の受信が、移動体デバイスによるワイヤレス信号の送信の間に感度低下されるかもしれない、環境１００の簡略化されたダイヤグラムを図示している。示すように、環境１００は、移動体デバイス１０５を含んでいる。移動体デバイス１０５は、衛星からのＳＰＳ信号の受信に基づいて、その自身のロケーションを決定する能力を含む、多数の機能を実行するように設計されているデバイスであってもよい。
【００２５】
［００３９］
移動体デバイス１０５は、１つ以上の衛星からＳＰＳ信号を受信することにより、衛星ベースのポジショニングを実行することができる。このような衛星ベースのポジショニング技術は、よく知られており、以下ではごく簡単に説明する。ここで示すように、移動体デバイス１０５は、衛星１２５、１３０、１３５からそれぞれ、ＳＰＳ信号１１０、１１５、および、１２０を受信する。典型的に、ＳＰＳ信号１１０、１１５、および、１２０のそれぞれは、ＳＰＳ信号がそれぞれの衛星から送信されたときに関連するタイミング情報を含むだろう。各ＳＰＳ信号は、ＳＰＳ信号が送信される時間における衛星のロケーションを決定するために使用することができるエフェメリス情報も含んでいてもよい。移動体デバイス１０５は、ＳＰＳ信号１１０、１１５、および、１２０のそれぞれをいつ受信したかを決定できる。各ＳＰＳ信号の送信時間および受信時間は、共通クロックのような、移動体デバイス１０５に知られている共通タイミング基準上で整列されていてもよい。受信時間と送信時間との間の差を取ることにより、移動体デバイス１０５は、各ＳＰＳ信号が、それぞれの衛星から移動体デバイス１０５へと移動するための、各ＳＰＳ信号に関係付けられている「飛行時間」を計算してもよい。飛行時間は、その後、光の速度を考慮して、各衛星と移動体デバイスとの間の距離を計算するために使用することができる。各衛星と移動体デバイスとの間の距離がいったん見つけられると、各衛星の既知のロケーション、および、各衛星と移動体デバイス１０５との間の距離に基づいて、移動体デバイス１０５のロケーションを計算するために、三辺測量を使用してもよい。
【００２６】
［００４０］
衛星ベースのポジショニングに加えて、移動体デバイス１０５によって実行される重要なカテゴリの機能は、ワイヤレス通信に関連する。ワイヤレス通信は、プライベートおよび／またはパブリックのネットワークを通して、移動体デバイス１０５をサーバおよび他のユーザ機器のような他のデバイスと接続する際に、重要なリンクとして機能してもよい。これは、とりわけ、ワイヤレスローカルエリアネットワーク（ＷＬＡＮ）およびワイドエリアネットワーク（ＷＡＮ）を含む、さまざまなタイプのワイヤレスネットワーク通した通信を含んでいてもよい。ＷＬＡＮの例は、さまざまな８０２．１１標準規格に基づいて実現されるもののような、異なるタイプのＷｉ−Ｆｉネットワークであってもよい。図１中の例は、移動体デバイスと基地局との間のワイヤレス通信に焦点を合わせている。しかしながら、ワイヤレス通信の他の例は、Ｗｉ−Ｆｉダイレクト、ロングタームエボリューション（ＬＴＥ）ダイレクト等のような、移動体デバイス間のピアツーピアを含んでいてもよい。ＷＷＡＮ  ＲＡＴの例は、ＬＴＥ、広帯域コード分割多元接続（ＷＣＤＭＡ）、および、これらに類するものを含んでいてもよい。ワイヤレス通信の追加の例は、ニアフィールド通信（ＮＦＣ）、ブルートゥース通信等を含んでいてもよい。「感度低下すること」を回避するための、無線アクセステクノロジー（ＲＡＴ）の選択および／またはワイヤレス信号の送信の制御を含む、本発明の実施形態は、異なるタイプのワイヤレス通信信号により実現してもよい。
【００２７】
［００４１］
図１中に示す例において、移動体デバイス１０５は、１つ以上の基地局１５５に信号を送ることと、１つ以上の基地局１５５から信号を受信することとにより、ワイヤレス通信を実行できる。例えば、移動体デバイス１０５は、ＷＬＡＮ信号１４０をローカルエリア送信機１４５に送ってもよく、ローカルエリア送信機１４５は、ＷＬＡＮ通信をサポートする基地局であってもよい。一般的に、ローカルエリア送信機は、アクセスポイント、ビーコン、または、これらの任意の組み合わせであってもよい。ローカルエリア送信機は、ＷＬＡＮ、ブルートゥース、または、他の何らかの無線テクノロジーの下で動作してもよい。
【００２８】
［００４２］
移動体デバイス１０５は、ＷＷＡＮ信号１５０をセルタワー１５５に送ってもよく、セルタワー１５５は、ＷＷＡＮ通信をサポートする基地局であってもよい。例えば、移動体デバイス１０５によって送信されるＷＬＡＮ信号１４０および／またはＷＷＡＮ信号１５０は、移動体デバイス１０５のユーザがインターネットから検索することを望むウェブページに対するＨＴＴＰ要求を含んでいてもよい。図１中に示されていないのは、移動体デバイス１０５が要求に応答して受信するかもしれないワイヤレス信号である。例えば、このような信号は、ローカルエリア送信機１４５および／またはセルタワー１５５から移動体デバイス１０５に送信されてもよく、要求されたウェブページを構成するＨＴＭＬファイルを含むＨＴＴＰ応答を含んでいてもよい。本発明のさまざまな実施形態は、このような送信される信号によってもたらされる干渉を低減させるために、移動体デバイスからのワイヤレス信号送信のスケジューリングを制御するための技術を取り扱うことから、図１は、（移動体デバイス１０５によって受信されるワイヤレス信号とは対照的に）移動体デバイス１０５から送信されるワイヤレス信号を強調している。
【００２９】
［００４３］
例えば、移動体デバイス１０５が、同時に、１１０、１１５、および、１２０のようなＳＰＳ信号を受信し、１４０および１５０のようなワイヤレス信号を送信しようと試行する場合、干渉は、ＳＰＳ信号の適切な受信を「感度低下させる」ことを生じさせるかもしれない。受信されるＳＰＳ信号１１０、１１５、１２０と、送信されるワイヤレス信号１４０および１５０とが、共通のまたはオーバーラップする周波数を利用する場合に、これは、生じることがある。干渉はまた、隣接または近くの周波数帯域からのスペクトル放射によってもたらされるかもしれない。受信される信号１１０、１１５、および１２０と、送信されるワイヤレス信号１４０、１５０とが、共通のまたはオーバーラップする周波数を利用しないときでさえ、これは、生じることがあるが、相互変調積は、干渉をもたらす。
【００３０】
［００４４］
一般的に、ＲＡＴトランシーバの送信がＳＰＳ受信機によるＳＰＳ信号の受信との実質的な干渉をもたらすか否かには、多くの要因が影響を及ぼすかもしれない。いくつかの状況では、ＲＡＴトランシーバによって使用される周波数は、ＳＰＳ受信機とのわずかな干渉もたらすかもしれず、または、干渉をもたらさないかもしれない。いくつかの状況では、ＲＡＴトランシーバが、ＳＰＳ受信機とのわずかな干渉をもたらすかもしれず、または、干渉をもたらさないかもしれない、十分低い電力で、ＲＡＴトランシーバは送信するかもしれない。他の状況では、ＲＡＴトランシーバのスペクトル放射または高調波が、ＳＰＳ受信機との干渉をもたらすかもしれない。デバイスの複数のＲＡＴトランシーバが同時に送信するとき、（上記で説明したような）ＳＰＳ受信機との干渉をもたらすことがある、さまざまな高調波および／または相互変調周波数が生成されるかもしれない。
【００３１】
［００４５］
図２は、ＳＰＳ受信機と複数のＲＡＴトランシーバとを含むデバイス２００を図示している。デバイス２００は、３つのＲＡＴトランシーバ２１０−１、２１０−２、および、２１０−３、ＳＰＳ受信機２２０、アンテナ２３０−１、２３０−２、２３０−３、および、２３０−４、プロセッサ２４０、ならびに、ワイヤードトランシーバ２５０を含んでいる。デバイス２００は、移動体のワイヤレスデバイス、セルラ電話機、タブレットコンピュータ、モノのインターネット（ＩｏＴ）デバイス、ウェアラブルコンピューティングデバイス、自動車、自動車デバイス、専用ＳＰＳ受信機デバイス（例えば、カーナビゲーションデバイス）、または、ＳＰＳ受信機を使用してそのポジションを決定し、１つ以上のＲＡＴトランシーバを介して通信できる他の何らかのデバイスであってもよい。
【００３２】
［００４６］
デバイス２００において、３つのＲＡＴトランシーバ２１０が存在する。さまざまな時間で、これらのＲＡＴトランシーバ２１０のそれぞれは、関係付けられているアンテナ２３０を介して信号をワイヤレスに送信してもよい。ＲＡＴトランシーバ２１０は、他のＲＡＴトランシーバが送信していない間に、送信していてもよく、または、ＲＡＴトランシーバ２１０のうちの１つ以上の他のＲＡＴトランシーバが送信している間に、並行して送信していてもよい。したがって、所定の時間に、ＲＡＴトランシーバ２１０のうちのゼロ、１、または、１つより多くのＲＡＴトランシーバが、ワイヤレス信号を送信していてもよい。
【００３３】
［００４７］
ＲＡＴトランシーバ２１０のそれぞれは、少なくとも１つのワイヤレステクノロジー／プロトコルに対応してもよい。例えば、ＲＡＴトランシーバ２１０−１は、４Ｇ  ＬＴＥ、３Ｇ、または、ＧＳＭのような、セルラ通信プロトコルのうちの１つ以上に対応してもよい。ＲＡＴトランシーバ２１０−２は、８０２．１１ａ／ｂ／ｇ／ａｃ／ａｄのような、１つ以上のワイヤレスローカルエリアネットワークプロトコルに対応してもよい。ＲＡＴトランシーバ２１０ー３は、ブルートゥース（登録商標）のような、デバイスツーデバイス通信テクノロジー／プロトコルに対応してもよい。いくつかの実施形態では、１つ以上のＲＡＴトランシーバが、同じテクノロジー／プロトコルに対応してもよい。いくつかの実施形態では、トランシーバのそれぞれは、複数のプロトコル（例えば、セルラ通信プロトコル、ワイヤレスローカルエリアネットワークプロトコル、デバイスツーデバイスまたは他の何らかのプロトコル）をサポートしてもよい。デバイス２００の図示した実施形態は、３つのＲＡＴトランシーバを含んでいるが、これは、実例目的のためにすぎず、１、２、または、３つより多くのＲＡＴトランシーバがデバイス２００の代替実施形態に存在してもよい。
【００３４】
［００４８］
ＲＡＴトランシーバ２１０のそれぞれは、アンテナに関係付けられていてもよい。ＲＡＴトランシーバ２１０−１は、アンテナ２３０−１を使用してワイヤレス信号を送信（および、場合によっては、受信）してもよく；ＲＡＴトランシーバ２１０−２は、アンテナ２３０−２を使用してワイヤレス信号を送信（および、場合によっては、受信）してもよく；ＲＡＴトランシーバ２１０−３は、アンテナ２３０−３を使用してワイヤレス信号を送信（および、場合によっては、受信）してもよい。いくつかの実施形態では、ＲＡＴトランシーバ２１０のうちの２つ以上のＲＡＴトランシーバが、単一のアンテナを共有してもよい。また、ＲＡＴトランシーバ２１０のうちの１つ以上のＲＡＴトランシーバは、２つ以上のアンテナを使用して送信してもよい。ＲＡＴトランシーバ２１０のＲＡＴトランシーバは、第１のアンテナから第２のアンテナに送信を切り替えることを許容されていてもよい。いくつかの実施形態では、ＳＰＳ受信機２２０は、アンテナを１つ以上のＲＡＴトランシーバ２１０と共有してもよいことが可能であってもよい。
【００３５】
［００４９］
ＲＡＴトランシーバ２１０は、プロセッサ２４０と通信してもよい。プロセッサは、アプリケーションプロセッサ、ベース帯域プロセッサ、および／または、他の何らかのタイプのプロセッサであってもよい。送信のためにデータをプロセッサ２４０から受け取ってもよく、受信されたデータを、プロセッサ２４０に提供してもよい。プロセッサ２４０は、非一時的プロセッサ読取可能メモリと通信する１つ以上のプロセッサを表していてもよい。プロセッサ２４０は、高レベルオペレーティングシステム（ＨＬＯＳ）の実行、ならびに／あるいは、ＲＡＴトランシーバ２１０のうちの１つ以上のＲＡＴトランシーバを使用して、データを送信し、および／または、ＳＰＳ受信機２２０によって決定されるロケーションを使用する、１つ以上のアプリケーションの実行を担ってもよい。
【００３６】
［００５０］
ＳＰＳ受信機２２０は、スタンドアローンコンポーネント（例えば、無線周波数（ＲＦ）チップのような別個の集積回路チップ）またはプロセッサ２４０の一部であってもよい。例えば、いくつかのプロセッサは、オンボードＳＰＳ受信機を有することができる。多目的プロセッサまたはスタンドアローンコンポーネントに一体化されようとなかろうと、ＳＰＳ受信機２２０は、受信したＳＰＳ信号に基づいて、そのポジションを決定できる。このようなＳＰＳ信号は、アンテナ２３０−４を介して受信されてもよい。アンテナ２３０−４は、ＳＰＳ受信機２２０専用であってもよく、または、ＲＡＴトランシーバ２１０のうちの１つ以上のような、１つ以上の他のコンポーネントと共有されてもよい。
【００３７】
［００５１］
ＲＡＴトランシーバ２１０送信のうちのいずれかは、ＳＰＳ受信機２２０によるＳＰＳ信号の成功する、受信および処理と干渉するかもしれないし、しないかもしれない。何らかのまたは十分な干渉が生じて、ＳＰＳ受信機２２０の性能（例えば、受信および処理）に影響を及ぼすか否かは、各ＲＡＴトランシーバのさまざまな動作特性：ＲＡＴトランシーバが送信している周波数、ＲＡＴトランシーバが送信している電力レベル、および／または、どのアンテナをＲＡＴトランシーバが使用しているか、に依存してもよい。ＲＡＴトランシーバ２１０のうちの２つ以上のＲＡＴトランシーバが並行して送信するとき、そうでなければ存在しない、１つ以上の高調波または相互変調周波数における干渉が生成されるかもしれない。ＲＡＴトランシーバ送信のそれぞれが異なる時間期間の間に送信されていた場合、このような周波数における干渉は、生成されないかもしれない。さらに、ＲＡＴトランシーバのそれぞれからの送信は、結果として、それらの送信周波数の高調波における干渉になるかもしれない。
【００３８】
［００５２］
ＲＡＴトランシーバ２１０によってもたらされる干渉に加えて、ＳＰＳ受信機上の干渉は、ワイヤードトランシーバ２５０のような、１つ以上のワイヤードトランシーバによってもたらされるかもしれない。ワイヤードトランシーバ２５０は、ＵＳＢ３ワイヤードコネクタおよびプロトコルを介してのような、接続されたワイヤを介して、データを送信および／または受信するように構成されていてもよい。単一のワイヤードトランシーバ２５０が図２中に描かれているが、ワイヤードトランシーバが存在しない、または、１つより多くのワイヤードトランシーバが存在してもよいことを理解すべきである。ワイヤードトランシーバ２５０は、プロセッサ２４０と通信してもよい。送信のために、データをプロセッサ２４０から受け取ってもよく、受信されたデータをプロセッサ２４０に提供してもよい。
【００３９】
［００５３］
ここで詳細に説明する実施形態は、ＲＡＴトランシーバが存在しないまたは動作していないとき、適用可能であってもよい。このような実施形態において、干渉は、電源、外部デバイス、および／または、他の内部構成部品のような、他のソースによってもたらされるかもしれない。
【００４０】
［００５４］
ＳＰＳ受信機２２０の性能に影響を及ぼす何らかのまたは十分な干渉がもたらされるか否かは、ＳＰＳ受信機２２０の現在の動作特性にさらに依存していてもよい。ＳＰＳ受信機２２０（およびアンテナ２３０−４）と、そこからのＳＰＳ信号が受信されて処理されるＳＰＳ宇宙船（ＳＶ）との間の近接（距離）は、どの程度の干渉を許容できるかに影響を及ぼすかもしれない。異なる周波数、電力レベル、ＳＶヘルス、（ＳＰＳ受信機に関連する配列のＳＶの方向による）障害、および／または、直交スキームが理由で、ＳＰＳ配列および／または使用されている配列内の特定のＳＶは、どのように干渉がＳＰＳ受信機に影響を及ぼすかに影響するかもしれない。
【００４１】
［００５５］
図３Ａから図３Ｃは、デューティサイクル制限を有する、ＳＰＳ受信機とＷＬＡＮトランシーバとの間のリソースの例示的なスケジューリングを図示している。これらの例において、各無線のデューティサイクルは、時間共有されており、損なわれた性能につながる、他の無線のデューティサイクルを減少させるとの犠牲のもとでのみ増加させることができる。図３Ａ中に図示されているように、ＷＬＡＮとＳＰＳは両方、５０％デューティサイクルを有している。したがって、ＷＬＡＮ  ＴＸ３０２は、各時間間隔（Ｔ１  ３１６）の５０％まで利用する。ＳＰＳ受信機は、時間間隔Ｔ１の前半はブランクにされ、時間間隔Ｔ１の後半（例えば、ＳＰＳオン３０４）で信号をアクティブに受信する。
【００４２】
［００５６］
図３Ｂにおいて、ＷＬＡＮトランシーバは、ＳＰＳ受信機よりも高い優先度を有しており、これは、ＷＬＡＮに対してより高いデューティサイクルを可能にする。したがって、ＷＬＡＮ  ＴＸ３０６は、時間間隔Ｔ２の半分より多くをカバーする。ＳＰＳ受信機は、時間間隔Ｔ２の残り（例えば、ＳＰＳオン３０８）において、信号をアクティブに受信する。
【００４３】
［００５７］
図３Ｃにおいて、ＳＰＳ受信機は、ＷＬＡＮトランシーバよりも高い優先度を有しており、これは、ＳＰＳ受信機に対してより高いデューティサイクルを可能にする。この例では、ＷＬＡＮ  ＴＸ３１０は、時間間隔Ｔ３の半分未満をカバーする。そして、ＳＰＳ受信機は、時間間隔Ｔ３の半分より多く（例えば、ＳＰＳオン３１２）において、信号をアクティブに受信する。
【００４４】
［００５８］
図４は、本開示の１つの実施形態にしたがう、送信パケットが遅延される例示的なスケジューリングシナリオを図示している。この例では、ＳＰＳにＩＭ感度低下をもたらす、別のＷＷＡＮと並行している、ＷＬＡＮに対する５０％デューティサイクルルールに対応する、２０ｍ秒決定単位間隔に対して、Ｔｐ１＝最大１０ｍ秒である。以下の例では、「決定単位間隔」または「時間間隔Ｔ」は２０ｍ秒であると仮定するが、一般的に、任意の数のミリ秒が、本開示の教示から逸脱することなく、これらの時間間隔に対して考えられることに留意すべきである。Ｔｒｅｑ間隔内の（例えば、時間ｔａ４０６における）任意の送信（ＴＸ）要求は、時間ｔｂ４０８まで遅延される。この例では、Ｔｐ２  ４１０（ＷＬＡＮ１送信４０４に対する時間期間）は、有効なデューティサイクル制限ルールにより、１０ｍ秒にまでなることがある。
【００４５】
［００５９］
１つの例において、ＷＬＡＮデューティサイクルルールは、以下のようにＷＬＡＮ動作に適用されてもよい：ＷＬＡＮ  ＴＸイベント（例えば、４０４）の開始において、前のＷＬＡＮ  ＴＸイベント（例えば、４０２）が、以前の２０ｍ秒時間期間の間に、１０ｍ秒よりも長く続いているか否かをチェックする。前のＷＬＡＮ  ＴＸイベント（例えば、４０２）が、以前の２０ｍ秒の間に、１０ｍ秒より長く続いていた場合、（図４中に図示するように）５０％ルールを満たす次のＴＸ機会が到達するまで、ＷＬＡＮ  ＴＸを遅延させる必要がある。前のＷＬＡＮ  ＴＸイベント（例えば、４０２）が、以前の２０ｍ秒の間に、１０ｍ秒より長く続かなかった場合、ＷＬＡＮ送信が許容される。しかしながら、送信イベントの期間は、（図７中に図示するように）最後の２０ｍ秒の間、５０％デューティサイクルルールを満足するように制限されなければならない。
【００４６】
［００６０］
ある実施形態は、ＳＰＳ並行を伴う都合のよい機会のパケットスケジューリングによって、異なるＲＡＴトランシーバ（例えば、ＬＴＥ、ＷＷＡＮ、ＷＬＡＮ等）のスループットを増加させる。１つの実施形態において、（スループットを制限する）トランシーバに対するデューティサイクル制限ルールを強制する代わりに、そのトランシーバに対応するトラフィックパケットは、他のトランシーバとの問題を起こす共存シナリオに依存して、都合のよい機会にスケジュールされる。例えば、ＷＬＡＮに対してデューティサイクル制限ルールを強制する代わりに、ＷＬＡＮに対応するトラフィックパケットは、ＬＴＥおよび／またはＷＷＡＮとの問題を起こす共存シナリオに依存して、都合のよい機会にスケジュールされる。ここで説明する解決法は、トランシーバの、パケット遅延待ち時間および／またはパケット期間を人工的に制限することを回避する。
【００４７】
［００６１］
１つの実施形態は、複数のＴＸ並行、例えば、Ｎ＝１、２、．．．５またはそれ以上（Ｎ×ＵＬ  ＣＡ）である、Ｎ倍のアップリンク搬送波アグリゲーションによるＬＴＥ、および／または、ＷＬＡＮによるデュアルＳＩＭデュアルアクティブ（ＤＳＤＡ）を可能にし、ＳＰＳへのこれらの干渉は、現在の先行技術のブランク技術によって取り扱われない。
【００４８】
［００６２］
ここで説明するように、マルチ無線デバイスは、ＷＷＡＮ、ＷＬＡＮ、ＳＰＳ、および、これらに類するもののような、複数の無線を含んでいてもよい。さまざまな無線の動作は、これらの動作パラメータに基づいて、これらの間で共存および協力を可能にするように調整されてもよい。ここで説明するような、都合のよい機会にスケジューリングする技術は、パケット遅延待ち時間を回避することおよび／または人工的にＷＬＡＮパケット期間を制限することにより、ＷＬＡＮスループットを増加させるような、いくつかの技術的利点を有している。さらに、ＳＰＳ感度が向上し、より短い最初の決定時間（ＴＴＦＦ）およびより良い位置精度につながる。例えば、ブランク要件は、いくつかの問題のあるＴＸ  ＲＡＴ相互変調イベントを無くすことにより低減させることができる。さらに、都合のよい機会のスケジューリング技術は、ＳＰＳおよびＷＬＡＮ上において、より損なわれていない性能で、マルチ搬送波スループットを増加させる。例えば、ＷＷＡＮ  ＮｘＵＬ  ＣＡおよび／またはデュアルＳＩＭデュアルアクティブ（ＤＳＤＡ）は、ＳＰＳおよびＷＬＡＮと並行して動作するようにすることができる。他のマルチ搬送波シナリオは、（例えば、２ｘＵＬ  ＣＡが既に実現されており、５ｘＵＬ  ＣＡまで将来サポートされるであろう）ＬＴＥアップリンク搬送波アグリゲーション（ＵＬ  ＣＡ）、デュアルＳＩＭデュアルアクティブ（Ｌ／Ｔ／Ｇ＋Ｇ、Ｌ／Ｗ／Ｇ＋Ｇ、Ｌ／ＤＯ／１ｘ＋Ｇ、および、これらに類するもののような、ＤＳＤＡ）、ＳＧＬＴＥ／ＳＧＴＤＳ、同時１ｘおよびＬＴＥ（ＳＶＬＴＥ）、ならびに、これらに類するもののような、マルチ送信機ＷＷＡＮを含んでいてもよい。ここで、Ｌは、ＬＴＥを表し、Ｗは、ＷＣＤＭＡを表し、Ｔは、ＴＤ−ＳＣＤＭＡを表し、Ｇは、ＧＳＭを表し、１ｘは、ＣＤＭＡ２０００  １ｘＲＴＴ音声を表し、ＤＯは、ＣＤＭＡ２０００  １ｘエボリューションデータオプティマイズドを表し、ＴＤＳは、ＴＤ−ＳＣＤＭＡを表し、ＳＧＬＴＥは、同時ＧＥＲＡＮ（ＧＳＭ／ＥＤＧＥ）およびＬＴＥを表し、ＳＧＴＤＳは、同時ＧＥＲＡＮおよびＴＤＳを表す。さらに、マルチ搬送波ＷＬＡＮは、デュアル帯域同時（ＤＢＳ）（例えば、２．４ＧＨｚおよび５ＧＨｚにおける８０２．１１ａ／ｂ／ｇ／ｎ／ａｃ）、トリプル帯域同時（ＴＢＳ）（例えば、２．４ＧＨｚ、５ＧＨｚにおける８０２．１１ａ／ｂ／ｇ／ｎ／ａｃ、および、６０ＧＨｚにおける８０２．１１ａｄ）、または、８０２．１１ａｈ９００ＭＨｚ；３．５ＧＨｚ；ＴＶホワイトスペース帯域５４−７９０ＭＨｚにおけるＷＬＡＮのような、他の何らかの将来のＷＬＡＮ帯域を含んでいてもよい。
【００４９】
［００６３］
図５Ａから５Ｃは、本開示の実施形態にしたがう、１つ以上のＲＡＴトランシーバとＳＰＳ受信機との共存のための例示的なスケジューリングシナリオを図示している。ここで説明する１つ以上の方法は、技術的に既知の他の方法と比較して、ＳＰＳとＷＬＡＮの両方が、これらの性能を増加させることができるようにする。１つの実施形態において、ＳＰＳとＷＬＡＮの優先度を考慮する必要はない。
【００５０】
［００６４］
（図５Ａ中に図示しているような）第１のシナリオにおいて、ＷＬＡＮ１はプライマリーであり、ＷＬＡＮ２は都合のよい機会に使用される。一般的に、ＷＬＡＮ１は、オペレータの選好、無線の電力消費、特定のＷＬＡＮ帯域のスループット／カバレッジの利益、帯域の干渉負荷、ＲＡＴ間共存問題等により、ＷＬＡＮ２に対してプライマリーであると考えられてもよく、または、ＷＬＡＮ２とのＣＡ／ＤＳＤＡおよび／またはＤＢＳ共存問題があることがある。この例では、ＷＬＡＮ１は、デューティサイクル制限下にある。したがって、ＷＬＡＮ１  ＴＸは、時間間隔Ｔの部分５０２上で動作できる。例えば、ＷＬＡＮ１上に５０％デューティサイクルルールがある場合、ＷＬＡＮ１  ＴＸは、時間間隔Ｔの５０％までカバーできる。１つの実施形態において、ＷＬＡＮ１が動作していないとき、ＷＬＡＮ２  ＴＸ５０４は、都合のよい機会にスケジュールすることができる。この例では、ＷＬＡＮ１がプライマリーであることから、デバイスは、ＷＬＡＮ１上のデューディサイクルスケジューリングルールが許容するとすぐに、デバイスはＷＬＡＮ１動作に戻る。例えば、時間ｔｂにおいて、デバイスは、ＷＬＡＮ２上の動作を停止し、ＷＬＡＮ１動作（例えば、ＷＬＡＮ  ＴＸ５０６）に戻る。
【００５１】
［００６５］
例として、ＬＴＥ１＋ＬＴＥ２アップリンク搬送波アグリゲーション（ＵＬ  ＣＡ）、または、ＧＳＭ１＋ＬＴＥ２デュアルＳＩＭデュアルアクティブ（ＤＳＤＡ）を考えてもよい。図５Ａ中に示されるシナリオは、ＷＷＡＮ２が使用されない場合、または、５ＧＨｚにおけるＷＬＡＮ２と並行して動作する間に、１７００ＭＨｚを除く、ＳＰＳ受信機上にＩＭ干渉をもたらさない別の周波数帯域にＷＷＡＮ２がある場合にも適用される。
【００５２】
［００６６］
（図５Ｂ中に図示したような）第２のシナリオにおいて、デバイスは、ＷＬＡＮ２上で都合のよい機会にスケジュールする。この例では、有効なＷＬＡＮ２／ＳＰＳデューティサイクル共存ルールがある（Ｔ＝２０ｍ秒の場合、Ｔｑ＿ｂ＜１０ｍ秒）。この例では、ＷＬＡＮ２／ＷＷＡＮ動作からのＩＭ積は、ＳＰＳ受信機の動作に影響を及ぼす。このシナリオでは、ＷＬＡＮ２  ＴＸパケットが送られた後、デバイスは、５０８の直後にＷＬＡＮ１動作に戻ることができ、または、ＷＬＡＮ２上のままであることができる（しかしながら、ＷＬＡＮ２上のままである場合、ＴＸへの次の機会は、ＷＬＡＮ２上のデューティサイクルルールを満たすために待たなければならないだろう）。１つの例では、ＷＬＡＮ２上のデューティサイクルルールを満たすために、デバイスは、１０ｍ秒までＷＬＡＮ２上のままであることができる。
【００５３】
［００６７］
（図５Ｃ中に図示するような）第３のシナリオにおいて、デバイスは、ＷＬＡＮ２上で都合のよい機会にスケジュールする。この例では、有効なＷＬＡＮ２／ＳＰＳデューティサイクル共存ルールがない（例えば、Ｔｑ＿ｃは無制限）。したがって、ＷＬＡＮ２  ＴＸパケットが送られた後、デバイスは、ＷＬＡＮ１動作に戻ることができ、または、（図５Ｃ中に示すように、ＷＬＡＮ２  ＴＸ５１０）ＷＬＡＮ２上のままであることができる。図５Ａ、５Ｂ、および、５Ｃ中に示す３つのシナリオのすべてにおいて、技術的に既知である、都合のよい機会ではないスケジューリング技術よりも、ＷＬＡＮスループットが増加する。
【００５４】
［００６８］
図６Ａから６Ｃは、本開示の１つの実施形態にしたがう、ＳＰＳ受信機上における、図５Ａから５Ｃ中に図示されている方法の利益を図示している。図６Ｄは、ＷＬＡＮ１トランシーバとＳＰＳ受信機との共存のための例示的なスケジューリングシナリオを図示している。図６Ａから６Ｃ中に図示されているシナリオにおいて、ＳＰＳおよびＷＬＡＮの優先度を考慮する必要はない。むしろ、ＳＰＳおよびＷＬＡＮの両方は、他の技術的に既知の技術（例えば、図６Ｄ）よりも、これらの性能を増加させることができる。
【００５５】
［００６９］
図６Ａにおいて、ＳＰＳ受信機とＷＬＡＮ２との並行動作は、ＳＰＳ受信機上に何ら干渉をもたらさず、したがって、ＷＬＡＮ２は、可能なときに、都合のよい機会でスケジュールされる。この例において、ＷＬＡＮシステムスループットは、１００％まで増加する一方で、ＳＰＳブランクは、技術的に既知の他の方法よりも低下されず、（図６Ｄ中に示すように）５０％利用のままである。デバイスは、ＷＬＡＮ１上で動作できない任意の時間に、ＷＬＡＮ２上で動作できることから、システムのスループットは増加する。例えば、所定の時間に、デバイスは、ＷＬＡＮ１上において有効なデューティサイクル制限ルールにより、ＷＬＡＮ１上で動作することを許容されないかもしれないが、デバイスは、ＷＬＡＮ２においてＷＬＡＮトラフィックをスケジュールすることができるかもしれず、これは、ＳＰＳ受信機上に何らの干渉をもたらさない。
【００５６】
［００７０］
図５Ｂ中に図示されているシナリオに対応する、図６Ｂ中に図示されているシナリオにおいて、ＷＬＡＮシステムスループットは、ＷＬＡＮ２上で都合のよい機会にスケジューリングすることによって増加される。このシナリオは、マルチ搬送波ＷＷＡＮ使用ケースとして考えることができる。例として、これは、ＷＬＡＮ１＝２．４ＧＨｚ、ＷＬＡＮ２＝５ＧＨｚ、ＬＴＥ１＝８００ＭＨｚ、ＬＴＥ２＝１７００ＭＨｚに対応することができる。この実施形態において、ＷＬＡＮ１およびＷＬＡＮ２の両方は、ＩＭデューティサイクルルールを有しており、したがって、ＧＮＳＳ動作は、両方のＴＸイベントに対してブランクになるだろう。６Ｄは、ＬＴＥ１およびＬＴＥ２に適用されないことから、このシナリオでは、先行技術６Ｄとの比較は、適用可能ではない。このケースにおけるＧＮＳＳ動作に対して、これは、移動体がＷＬＡＮデュアル帯域同時（ＤＢＳ）能力をサポートしていたか、または、（２．４ＧＨｚまたは５ＧＨｚのいずれかを意味する）一度にただ１つの帯域をサポートしていたかに依存するだろう。（１つのＷＬＡＮアンテナのみがある場合のケースのように）移動体デバイスが一度に１つのＷＬＡＮ帯域をサポートする場合、ＧＮＳＳ動作は、ギャップにおいてのみ許容されるだろう。このシナリオでは、５０％ブランクルールは破られやすい。一方、移動体デバイスがＤＢＳ（例えば、２つのＷＬＡＮアンテナ）をサポートする場合、ＧＮＳＳ並行は、ＷＬＡＮ１とＷＬＡＮ２送信を同期化することにより、５０％まで最大化される。
【００５７】
［００７１］
図６Ｃ中に図示されているシナリオでは、デバイスは、ＳＰＳ受信機上に何らかの干渉をもたらすことなく、ＷＬＡＮ２（例えば、ＷＬＡＮ２  ＴＸ６１０）上で動作できる。このシナリオでは、ＳＰＳ受信機は、ＷＬＡＮ２トランシーバと並行して動作できる。しかしながら、ＳＰＳ受信機は、（干渉により）ＷＬＡＮ１  ＴＸ６２０の動作の間、ブランクにされる。このケースでは、ＷＬＡＮシステムスループットは、１００％まで増加する一方で、ＳＰＳブランクは、先行技術よりも、１００％利用（例えば、０％ブランク）まで低減される。
【００５８】
［００７２］
図６Ｄは、技術的に既知であるような、ＷＬＡＮ１トランシーバとＳＰＳ受信機との共存のための例示的なスケジューリングシナリオを図示している。図示しているように、ＷＬＡＮ１  ＴＸの送信は、ＳＰＳ受信機上に干渉をもたらし、ＳＰＳ受信機は、ＷＬＡＮ１送信の間、ブランクにされる必要がある。ＷＬＡＮ１動作は、デューティサイクル制限（この例では、５０％）下であり、ＳＰＳ利用は５０％である。
【００５９】
［００７３］
図７は、ＷＬＡＮ１上で有効なデューティサイクル制限ルールにより送信パケットが制限される例示的なスケジューリングシナリオを図示している。したがって、２０ｍ秒決定単位間隔に対して、Ｔｐｌ＜１０ｍ秒である。この例では、デバイスは、Ｔｐ１の期間に対して、ＷＬＡＮ１（例えば、ＷＬＡＮ１  ＴＸ  ７０２）上で動作してもよい。Ｔｒｅｑ間隔内の（例えば、時間ｔａにおける）任意の新たなＷＬＡＮ  ＴＸ要求は、Ｔｐ２＋Ｔｐ１＜１０ｍ秒となるように、時間ｔｂ（例えば、ＷＬＡＮ１  ＴＸ７０４）まで許容される。次の送信要求は、時間ｔｃに開始することができるが、デューティサイクル制限ルールにより、Ｔｐ２＋Ｔｐ３＜１０ｍ秒（例えば、ＷＬＡＮ１  ＴＸ  ７０６）となるように、時間ｔｄに終了しなければならない。
【００６０】
［００７４］
図８Ａから８Ｃは、本開示の１つの実施形態にしたがう、１つ以上のＲＡＴトランシーバとＳＰＳ受信機との共存のためのスケジューリング解決法を図示している。非限定的な例として、ＷＬＡＮ１は２．４ＧＨｚで動作し、ＷＷＡＮ１は８００ＭＨｚで動作する。図８Ｂ中に示すシナリオに関して、ＷＷＡＮ２は１７００ＭＨｚで動作する。図８Ａおよび８Ｃ中で示すシナリオに関して、ＷＷＡＮ２は、１７００ＭＨｚと等しくないが、ＳＰＳ受信機上でＩＭ干渉をもたらさない別の帯域とすることができ、または、ＷＷＡＮ２は使用されないかもしれない。この例では、ＷＬＡＮ２は、都合のよい機会に５ＧＨｚでスケジュールされてもよい。一般的に、ＷＬＡＮ、ＳＰＳ、および／または、ＷＷＡＮは、本開示の教示から逸脱することなく、任意の周波数帯域上で動作してもよいことに留意すべきである。
【００６１】
［００７５］
図８Ａにおいて、デバイスは、例えば、オペレータの選好、無線の電力消費、特定のＷＬＡＮ帯域のスループット／カバレッジの利益、帯域の干渉負荷、ＲＡＴ間共存問題等により、ＷＬＡＮ２よりもプライマリーであるＷＬＡＮ１上で動作する。この例では、ＷＬＡＮ１およびＷＷＡＮ１  ＩＭルールが存在する。しかしながら、ＷＷＡＮ２上にＩＭルールはない。デバイスは、ＷＬＡＮ２上で都合のよい機会に（例えば、ＷＬＡＮ２  ＴＸ８０２）スケジュールしてもよいが、ＷＬＡＮ１がプライマリーであることから、最初の機会にＷＬＡＮ１（例えば、ＷＬＡＮ１  ＴＸ８０４）に戻る。この例では、Ｔｑ＿ａはｔｃ（例えば、ＷＬＡＮ２  ＴＸ８０２）において停止し、ＷＬＡＮ１上の送信は、ｔｃ（例えば、ＷＬＡＮ１  ８０４）において開始する。
【００６２】
［００７６］
例として、ＬＴＥ１＋ＬＴＥ２アップリンク搬送波アグリゲーション（ＵＬ  ＣＡ）またはＧＳＭ１＋ＬＴＥ２デュアルＳＩＭデュアルアクティブ（ＤＳＤＡ）を考えてもよい。図８Ａ中に示すシナリオは、ＷＷＡＮ２が使用されない場合、または、５ＧＨｚにおけるＷＬＡＮ２と並行して動作する間に、１７００ＭＨｚを除く、ＳＰＳ受信機上でＩＭ干渉をもたらさない別の周波数帯域にＷＷＡＮ２がある場合にも適用される。
【００６３】
［００７７］
図８Ｂ中に図示するシナリオにおいて、ＷＬＡＮ２およびＷＷＡＮ２の動作においてＩＭルールがある。この例では、デバイスは、スケジューリングルールが許容する限り、デバイスは、ＷＬＡＮ２上のままであってもよい。図示したように、最初の機会にＷＬＡＮ１に戻る理由はない。したがって、ＷＬＡＮ２のパケット期間は、ＷＬＡＮ２上で有効なスケジューリングルールにより決定される。例えば、デバイスは、ＷＬＡＮ２上のスケジューリングルールが許容するまで（例えば、Ｔｑ＿ｂ＜１０ｍ秒）、ＷＬＡＮ２上で動作してもよい。Ｔｑ＿ｂの後、デバイスは、ＷＬＡＮ１に戻る、または、ＷＬＡＮ２上のままであることができる。例として、このシナリオは、ＬＴＥ１＋ＬＴＥ２  ＵＬ  ＣＡ、または、ＧＳＭ１＋ＬＴＥ２  ＤＳＤＡにおいて、使用してもよい。
【００６４】
［００７８］
図８Ｃ中に図示するシナリオにおいて、ＷＬＡＮ２上には有効なスケジューリングルールはない。このケースでは、デバイスは、ＷＬＡＮ２上での送信を終了でき、その後そこに残る、または、次のパケットのためにＷＬＡＮ１に戻ることができる。ＷＷＡＮ２が使用されない場合、または、５ＧＨｚにおけるＷＬＡＮ２とのＩＭ問題をもたらさない、１７００ＭＨｚを除く、別の周波数帯域にＷＷＡＮ２がある場合、ここで説明する方法を依然として使用することができる。
【００６５】
［００７９］
別の非限定的な例において、ＷＬＡＮ１が２．４ＧＨｚである場合、ＷＷＡＮ１は８００ＭＨｚであり、ＷＷＡＮ２は１７００ＭＨｚであり、ＷＬＡＮ２は、６０ＧＨｚで都合のよい機会にスケジュールされてもよい。このケースでは、８００および１７００ＭＨｚにおけるＷＷＡＮに対して、有効なＷＬＡＮ２／ＳＰＳデューティサイクル共存ルールはないかもしれない。ＷＬＡＮ１が５ＧＨｚであり、ＷＷＡＮ１が１７００ＭＨｚ、ＷＬＡＮ２が８００ＭＨｚである場合、例えば、ＷＬＡＮ２が２．４ＧＨｚ、または、他の帯域である、以前の例と、逆のことが考えられてもよい。
【００６６】
［００８０］
一般的に、ここで説明する都合のよい機会のスケジューリング技術は、本開示の教示から逸脱することなく、他の多くのケースに適用可能であってもよい。例えば、ＷＬＡＮは、９００、７００、３５００ＭＨｚ等であってもよく、他のＷＷＡＮ  ＮｘＵＬ  ＣＡまたはＤＳＤＡ  ＩＭの組み合わせは、ＳＰＳ受信機上に干渉をもたらす。１つの実施形態において、提案する方法は、任意の種類のマルチ搬送波シナリオで使用してもよい。他のマルチ搬送波使用ケースも規定してもよい。例えば、ＬＴＥアップリンク搬送波アグリゲーション（ＵＬ  ＣＡ）のようなＷＷＡＮマルチＴＸである（２ｘＵＬ  ＣＡが既に実現され、将来５ｘＵＬ  ＣＡまでサポートされる）。別の例では、デュアルＳＩＭデュアルアクティブ（ＤＳＤＡ）（Ｌ／Ｔ／Ｇ＋Ｇ、Ｌ／Ｗ／Ｇ＋Ｇ、Ｌ／ＤＯ／１ｘ＋Ｇ等）である。さらに別の例では、ＳＧＬＴＥ／ＳＧＴＤＳを使用してもよい。別の例では、ＳＶＬＴＥを使用してもよい。
【００６７】
［００８１］
ここで説明する方法は、本開示の教示から逸脱することなく、任意の種類のマルチ搬送波ＷＬＡＮシナリオで使用してもよい。例として、デュアル帯域同時（ＤＢＳ）；（例えば、２．４ＧＨｚおよび５ＧＨｚにおける８０２．１１ａ／ｂ／ｇ／ｎ／ａｃ）、トリプル帯域同時（ＴＢＳ）；（例えば、２．４ＧＨｚおよび５ＧＨｚにおける８０２．１１ａ／ｂ／ｇ／ｎ／ａｃ、ならびに、６０ＧＨｚにおける８０２．１１ａｄ）、または、８０２．１１ａｈ９００ＭＨｚ；３．５ＧＨｚ；ＴＶホワイトスペース帯域５４−７９０ＭＨｚにおけるＷＬＡＮのような、他の何らかの将来のＷＬＡＮ帯域、または、他の何らかの帯域を使用できる。
【００６８】
［００８２］
図９Ａから９Ｃは、本開示の実施形態にしたがう、ＳＰＳ受信機上の、図８Ａから図８Ｃ中で図示した方法の利益を図示している。図９Ｄは、ＷＬＡＮトランシーバとＳＰＳ受信機との共存のための例示的なスケジューリングシナリオを図示している。
【００６９】
［００８３］
図８Ａに対応する図９Ａにおいて、ＷＬＡＮスループットは、（例えば、図９Ｄ中に図示するように）技術的に既知の他のスキームと比較して増加する一方で、ＳＰＳブランクは、例えば図９Ｄと比較して低減する。（ＷＬＡＮ１上で有効なデューティサイクル制限ルールのために）ＷＬＡＮ１上で動作することができない任意の時間に、デバイスがＷＬＡＮ２上で動作できることから、システムのＷＬＡＮスループットは増加し、１００％までの、組み合わされたＷＬＡＮ１およびＷＬＡＮ２スループット利用につながる。この例では、ＳＰＳ受信機とのＷＬＡＮ２の並行動作は、ＳＰＳ受信機上に何らかの干渉をもたらさず、したがって、ＷＬＡＮ２は、可能なとき、都合のよい機会にスケジュールされる。この例では、ＳＰＳ利用は、図９ＤのＳＰＳ利用よりも増加する。
【００７０】
［００８４］
図８Ｂに対応する図９Ｂ中に図示するように、ＷＬＡＮシステムスループットは、図９Ｄのような既知の他の技術と比較して増加する。このシナリオは、マルチ搬送波ＷＷＡＮ使用ケースとして考えることができる。
【００７１】
［００８５］
図８Ｃに対応する図９Ｃ中で図示するように、ＷＬＡＮシステムスループットは、１００パーセントまで増加する一方で、ＳＰＳブランクは、（例えば、図９Ｄ中に示すように）先行技術よりも低減される。このケースでは、ＳＰＳ受信機上に何らかの干渉をもたらすことなく、デバイスがＷＬＡＮ２上で動作できることから、ＳＰＳ受信機は、ＷＬＡＮ２動作と並行して動作することができる。しかしながら、ＳＰＳ受信機は、ＷＬＡＮ１  ＴＸの動作の間、ブランクにされる。この例では、ＳＰＳブランクは、先行技術よりも、１００パーセント利用（０％ブランク）まで低減される。
【００７２】
［００８６］
図９Ｄは、ＷＬＡＮ１トランシーバとＳＰＳ受信機との共存のための例示的なスケジューリングシナリオを図示している。図示したように、ＷＬＡＮトランシーバは、そのデューティサイクルをＳＰＳ受信機と時間共有し、これは、損なわれた性能につながる。
【００７３】
［００８７］
図１０は、本開示の１つの実施形態にしたがって、１つ以上のＲＡＴトランシーバとＳＰＳ受信機との共存を管理するデバイスによって使用することができる方法の実施形態を図示している。１００２において、デバイスは、少なくとも第１の共存ルールに基づいて、第１の無線アクセステクノロジー（ＲＡＴ）にしたがう、１つ以上のトランシーバのうちの第１のトランシーバが、時間期間内に第１の周波数帯域を介して、パケットを送信できるか否かを決定する。例として、デバイスは、第１のトランシーバを使用して、第１の周波数帯域上で送信されるようにパケットをスケジュールできるか否かを決定する。時間期間（例えば、１０ｍ秒、または、他の何らかの時間期間）は、デバイスにおいて予め規定されていてもよい。決定は、少なくとも第１の共存ルールに基づいてされてもよい。
【００７４】
［００８８］
１つの例では、第１の共存ルールは、少なくとも第１のトランシーバ上の少なくとも第１のＲＡＴの動作による、ＳＰＳ受信機上の影響に対応する。例えば、影響は、少なくとも第１のトランシーバの動作によってもたらされるＳＰＳ受信機上の干渉（例えば、高調波および／または相互変調積を通した、直接干渉あるいは間接干渉）であってもよい。１つの実施形態では、ＷＬＡＮを使用するトランシーバとＷＷＡＮを使用する別のトランシーバの並行動作は、ＳＰＳ受信機の動作帯域上に干渉（例えば、ＩＭ積）をもたらすかもしれない。
【００７５】
［００８９］
ここで使用する用語、共存ルールは、（類似するまたは異なるＲＡＴ下で動作する）２つ以上のトランシーバが、デバイスにおいて確実に共存できるようにするために、トランシーバの動作を制限するように導入される任意のルールを指す。共存ルールは、トランシーバのそれぞれが、少なくともいくらかの時間期間の間、適切に動作できるようにすることを確実にする。異なるトランシーバおよび／またはＲＡＴの共存を確実にするために、例えば、デューティサイクル制限、ブランキング、および、他の何らかのルールを、使用してもよい。１つの例では、１つ以上の他のトランシーバの動作によってもたらされるトランシーバ上の干渉を制限するために、共存ルールを規定してもよい。
【００７６】
［００９０］
１つの実施形態では、第１のＲＡＴは、第１のトランシーバによる送信のためのプライマリーＲＡＴとして規定してもよい。例えば、第１のトランシーバは、ＷＬＡＮ１を使用してプライマリーに送信する。１つの例では、第１のトランシーバは、ＷＬＡＮ１上で１つ以上のパケットを送信し、ＷＬＡＮ１が利用可能でないとき、ＷＬＡＮ２上で別の１つ以上のパケットを送信する。一般的に、ＲＡＴの動作を制限するいくつかのルール（例えば、共存ルール）が存在する場合、ＲＡＴは送信のために利用可能でないかもしれない。例えば、１つ以上の共存ルールをＲＡＴに適用して、他のＲＡＴの適切な動作を確実にしてもよい。
【００７７】
［００９１］
一般的に、本開示の教示から逸脱することなく、多くの異なる理由のために、共存ルールを導入してもよい。１つの例では、ＳＰＳ受信機の動作上の影響または可能性ある影響（例えば、干渉）のために、共存ルールを導入してもよい。別の例では、共存ルールは、他の基準（オペレータの選好、ネットワークパラメータ等）に基づいて、規定してもよい。
【００７８】
［００９２］
１００４において、デバイスは、第１のＲＡＴにしたがう第１のトランシーバが、時間期間内に第１の周波数帯域を介してパケットを送信できないという決定に基づいて、第２のＲＡＴにしたがい、第２の周波数帯域を介してパケットを送信する。
【００７９】
［００９３］
１つの実施形態において、第１のＲＡＴおよび第２のＲＡＴは、共通のタイプのワイヤレスネットワークに対応していてもよい。１つの実施形態において、第１の周波数帯域は、第２の周波数帯域と異なっていてもよい。例えば、第１のＲＡＴおよび第２のＲＡＴは、ＷＬＡＮに対応していてもよい。第１のＲＡＴおよび第２のＲＡＴは、本開示の教示から逸脱することなく、ＬＴＥ、ＣＤＭＡ、ＧＳＭ、または、これらに類するもののような、ＷＬＡＮ、ＰＡＮ、および／または、ＷＷＡＮカテゴリ内の異なるプロトコルに対応していてもよいことに留意すべきである。
【００８０】
［００９４］
１つの実施形態において、１つ以上のトランシーバとＳＰＳ受信機との共存を管理するデバイスは、送信されるパケットを取得する手段を含んでいてもよい。パケットを取得する手段は、（図１２中の図示しているような）他のデバイスからパケットを取得する通信サブシステム１２３０であってもよい。別の実施形態では、取得する手段は、デバイスのメモリまたは他の内部コンポーネントからパケットを取得する１つ以上のプロセッサ１２１０であってもよい。
【００８１】
［００９５］
さらに、パケットを第１の周波数帯域上で送信することができるか否かを決定する手段を、装置は含んでいてもよい。例えば、１つ以上のプロセッサ１２１０および／または１つ以上のトランシーバを使用して、周波数帯域上でパケットが送信されるか否かを決定してもよい。装置は、第２の周波数帯域を介してパケットを送信する手段も含んでいてもよい。送信する手段は、図１２中に図示するように、通信サブシステム１２３０を含んでいてもよい。一般的に、通信サブシステムは、１つ以上のトランシーバを含んでいてもよい。トランシーバのそれぞれは、１つ以上のＲＡＴにしたがって動作できてもよい。
【００８２】
［００９６］
多くの例が、ＷＬＡＮおよび／またはＷＷＡＮを例示的なＲＡＴとして指すようにここで説明されるが、一般的に、ここで説明する方法は、本開示の教示から逸脱することなく、任意の無線テクノロジー（例えば、セルラおよび／または非セルラ）に適用してもよいことに留意すべきである。
【００８３】
［００９７］
ここで説明する方法は、ＳＰＳ影響の目的のために、イントラ−ＷＬＡＮ  ＲＡＴ、イントラ−ＷＷＡＮ  ＲＡＴ、および、ＷＬＡＮ−ＷＷＡＮセッション転送において使用することができる。多くのデバイスは、ＩＥＥＥ８０２．１１ａ／ｂ／ｇ／ｎ／ａｃ標準規格を使用して、２．４および５ＧＨｚにおけるデュアル帯域ＷＬＡＮ動作をサポートする。８０２．１１ａｄ／ａｈのような将来のＷＬＡＮ標準規格は、それぞれ、６０ＧＨｚおよび９００ＭＨｚで動作するだろう。他のＷＬＡＮ標準規格は、３．５ＧＨｚで、および、５４−７９０ＭＨｚからのＴＶホワイトスペーススペクトルで動作するように提案されている。（ＳＰＳを考慮しないが）動的なチャネル／帯域選択の取り組みは、開発過程であり、ＷＬＡＮ標準規格においてサポートされるだろう。
【００８４】
［００９８］
提案する方法は、本開示の教示から逸脱することなく、高速セッション転送（ＦＳＴ）において使用することができる。高速セッション転送は、データを中断することなく、さまざまなＷＬＡＮ周波数間でシームレスにセッションをハンドオフする方法を指す。例えば、デバイスは、２．４ＧＨｚ、５ＧＨｚ、および／または、６０ＧＨｚ、あるいは、他の何らかの周波数の間でハンドオフしてもよい。さらに、ＦＳＴ以外の他の何らかの帯域ステアリング技術も利用できる。例として、２．４および５ＧＨｚの間の帯域ステアリングのために、８０２．１１ｖを使用することができ；高速ＷｉＦｉローミングのために、８０２．１１ａｉ高速初期リンクセットアップ（ＦＩＬＳ）を使用することができ；同じまたは異なるサービスセット識別子（ＳＳＩＤ）上の高速ローミングのために、８０２．１１ｒ基本サービスセット（ＢＳＳ）送信管理も、使用することができる。他の何らかの方法も、本開示の教示から逸脱することなく使用してもよい。
【００８５】
［００９９］
図１１は、本開示の１つの実施形態にしたがう、提案する技術のスループット向上を示す例示的なグラフを図示している。図示しているように、ＳＰＳ（例えば、ＧＮＳＳ）受信機の利用およびＷＬＡＮトランシーバのシステムスループットは、提案する方法を利用することにより、５０パーセントから１００％まで増加できる。さらに、マルチ搬送波ケースにおけるＬＴＥ／ＷＷＡＮの増加したスループットが、（ＳＰＳおよびＷＬＡＮ並行とともに）提供される。
【００８６】
［００１００］
１つの実施形態において、デバイスは、１より多くの（例えば、マルチ配列）ＳＰＳ受信機を有していてもよい。１つの例において、ＳＰＳ受信機のうちの１つ以上は、他のＲＡＴからの干渉を受けるかもしれない。状況に依存して、異なるＳＰＳ受信機は、他のＲＡＴによって同じまたは異なる影響を受けるかもしれない。例えば、第１のＳＰＳ受信機は、他のＲＡＴからの共存干渉を経験するかもしれない一方で、第２のＳＰＳ受信機は、影響を受けないまたはより小さな干渉を経験するかもしれない。例えば、第２のＳＰＳ受信機は、干渉によって影響を受けない（例えば、影響を受けないダウンリンク周波数で動作する）ＳＰＳ配列のセットをサーチするように向けられてもよい。各ＳＰＳ受信機に対応するアンテナの向き、動作時間、および、これらに類するもののような他のパラメータは、各ＳＰＳ受信機上の共存干渉の影響を変化させることができる。ここで説明する技術は、ＳＰＳ受信機のうちの１つ以上における干渉を低減するために使用してもよい。
【００８７】
［００１０１］
図１２は、さまざまな実施形態によって提供される方法のさまざまなブロックを実行できるコンピュータシステム１２００の１つの実施形態の概略図を提供する。図１２中に図示しているようなコンピュータシステムは、デバイス２００のような、以前に説明したコンピュータ化されたデバイスの一部として組み込まれてもよい。例えば、共存マネージャの機能は、コンピュータシステム１２００の一部として実現される汎用プロセッサによって実行してもよい。さらに、デバイス２００および１０００は、コンピュータシステム１２００を含むタブレットコンピュータまたはセルラ電話機のような、コンピュータ化された移動体デバイス上に存在していてもよい。図１２は、さまざまなコンポーネントの一般的な実例を提供することのみを意味し、それらのいずれかまたはすべてが適切に利用されてもよいことに留意すべきである。したがって、図１２は、個々のシステムエレメントがどのように実現されるかを相対的に別々の方法で、または、相対的により統合された方法で広く図示している。
【００８８】
［００１０２］
バス１２０５を介して電気的に結合することができる（またはそうでなければ、適切に通信してもよい）ハードウェアエレメントを備えるコンピュータシステム１２００が示されている。ハードウェアエレメントは、１つ以上の汎用プロセッサおよび／または１つ以上の（デジタル信号処理チップ、グラフィック高速化プロセッサ、ビデオデコーダ、および／または、これらに類するもののような）特殊目的プロセッサを含むがこれらに限定されない、１つ以上のプロセッサ１２１０；マウス、キーボード、遠隔制御、および／または、これらに類するものを含むことができるがこれらに限定されない、１つ以上の入力デバイス１２１５；ディスプレイデバイス、プリンタ、および／または、これらに類するものを含むことができるがこれらに限定されない、１つ以上の出力デバイス１２２０を含んでいてもよい。
【００８９】
［００１０３］
コンピュータシステム１２００は、１つ以上の非一時的記憶デバイス１２２５をさらに含んでいて（および／または１つ以上の非一時的記憶デバイス１２２５と通信して）もよく、１つ以上の非一時的記憶デバイス１２２５は、ローカルおよび／またはネットワークアクセス可能の記憶装置を備えることができるが、これらに限定されず、ならびに／あるいは、ディスクデバイス、ドライブアレイ、光学記憶デバイス、ランダムアクセスメモリ（“ＲＡＭ”）および／またはリードオンリーメモリ（“ＲＯＭ”）のような、固体記憶デバイスを含めることができるが、これらに限定されず、これらは、プログラム可能、フラッシュ更新可能、および／または、これらに類するものとすることができる。このような記憶デバイスは、さまざまなファイルシステム、データベース構造、および／または、これらに類するものを含むが、これらに限定されない、任意の適切なデータ記憶を実現するように構成されていてもよい。
【００９０】
［００１０４］
コンピュータシステム１２００はまた、モデム、ネットワークカード（ワイヤレスまたはワイヤード）、赤外線通信デバイス、ワイヤレス通信デバイス、および／または、（ブルートゥース（登録商標）デバイス、８０２．１１デバイス、Ｗｉ−Ｆｉ（登録商標）デバイス、ＷｉＭａｘデバイス、セルラ通信デバイス、ＧＳＭ、ＣＤＭＡ、ＷＣＤＭＡ、ＬＴＥ、ＬＴＥ−Ａ、ＬＴＥ−Ｕ等のような）チップセット、および／または、これらに類するものを含むことができるがこれらに限定されない、通信サブシステム１２３０を備えるかもしれない。通信サブシステム１２３０は、（１つ名前を挙げるとすると、以下で説明するネットワークのような）ネットワーク、他のコンピュータシステム、および／または、ここで説明する他の何らかのデバイスと、データを交換することを可能にしてもよい。多くの実施形態では、コンピュータシステム１２００は、上記で説明したような、ＲＡＭまたはＲＯＭデバイスを含むことができる、ワーキングメモリ１２３５をさらに備えるだろう。
【００９１】
［００１０５］
コンピュータシステム１２００は、ワーキングメモリ１２３５内に現在位置付けられているように示されており、オペレーティングシステム１２４０、デバイスドライバ、実行可能ライブラリ、および／または、１つ以上のアプリケーションプログラム１２４５のような他のコードを含む、ソフトウェアエレメントも備えることができ、これは、さまざまな実施形態により提供されるコンピュータプログラムを含んでもよく、ならびに／あるいは、ここで記述したように、他の実施形態により提供される、方法を実現し、および／または、システムを構成するように設計されていてもよい。単なる例示として、上記で説明した方法に関する１つ以上の手順は、コンピュータ（および／またはコンピュータ内のプロセッサ）により実行可能なコードおよび／または命令として実行されるかもしれず、ある態様では、このようなコードおよび／または命令を使用して、汎用コンピュータ（または、他のデバイス）を構成および／または適合させ、説明した方法にしたがって１つ以上の動作を実行することができる。
【００９２】
［００１０６］
これらの命令および／またはコードのセットは、上記で説明した非一時的記憶デバイス１２２５のような、非一時的コンピュータ読取可能記憶媒体上に記憶されてもよい。いくつかのケースでは、記憶媒体は、コンピュータシステム１２００のような、コンピュータシステム内に組み込まれるかもしれない。他の実施形態では、記憶媒体を使用して、その上に記憶されている命令／コードにより汎用コンピュータをプログラム、構成および／または適合できるように、記憶媒体は、コンピュータシステム（例えば、コンパクトディスクのような取り外し可能媒体）から分離してもよく、および／または、インストールパッケージ中で提供されてもよい。これらの命令は、コンピュータシステム１２００により実行可能である、実行可能なコードの形態をとるかもしれず、および／または、ソースおよび／またはインストール可能なコードの形態をとるかもしれず、ソースおよび／またはインストール可能なコードは、（例えば、一般的に利用可能な、コンパイラ、インストールプログラム、圧縮／伸長ユーティリティ等を使用して）コンピュータシステム１２００上でのコンパイルおよび／またはインストールのときに、実行可能なコードの形態をとる。
【００９３】
［００１０７］
特定の要件にしたがって相当な変更が行われてもよいことは当業者には明白であろう。例えば、カスタマイズされたハードウェアも使用してもよく、および／または、特定のエレメントは、ハードウェア、（アプレット等のようなポータブルソフトウェアを含む）ソフトウェア、または、両方で実現してもよい。さらに、ネットワーク入力／出力デバイスのような、他のコンピューティングデバイスへの接続を用いてもよい。
【００９４】
［００１０８］
上述したように、１つの態様において、いくつかの実施形態は、本発明のさまざまな実施形態にしたがう方法を実行するために、（コンピュータシステム１２００のような）コンピュータシステムを用いてもよい。１セットの実施形態にしたがうと、このような方法の手順のうちのいくつかまたはすべては、ワーキングメモリ１２３５中に含まれる（オペレーティングシステム１２４０および／またはアプリケーションプログラム１２４５のような他のコードに組み込まれてもよい）１つ以上の命令の１つ以上のシーケンスを実行するプロセッサ１２１０に応答して、コンピュータシステム１２００によって実行される。このような命令は、非一時的記憶デバイス１２２５のうちの１つ以上のような、別のコンピュータ読取可能媒体から、ワーキングメモリ１２３５中に読み込まれてもよい。単なる例として、ワーキングメモリ１２３５中に含まれる命令のシーケンスの実行は、プロセッサ１２１０に、ここで説明する方法のうちの１つ以上の手順を実行させてもよい。
【００９５】
［００１０９］
ここで使用されるような、用語「機械読取可能媒体」、「コンピュータ読取可能記憶媒体」、および、「コンピュータ読取可能媒体」は、機械を特定の方法で動作させるデータを提供する際に関係する任意の媒体を指す。これらの媒体は、非一時的であてもよい。コンピュータシステム１２００を使用して実現される実施形態において、さまざまなコンピュータ読取可能媒体は、実行のために、命令／コードをプロセッサ１２１０に提供する際に伴われてもよく、および／または、このような命令／コードを記憶および／または伝えるために使用されてもよい。多くのインプリメンテーションでは、コンピュータ読取可能媒体は、物理的および／または有形の記憶媒体である。このような媒体は、不揮発性媒体または揮発性媒体の形態をとってもよい。不揮発性媒体は、例えば、非一時記憶デバイス１２２５のような、光学および／または磁気ディスクを含む。揮発性媒体は、ワーキングメモリ１２３５のような、ダイナミックメモリを含むが、これに限定されない。
【００９６】
［００１１０］
物理的および／または有形のコンピュータ読取可能媒体の一般的形態は、例えば、フロッピー（登録商標）ディスク、フレキシブルディスク、ハードディスク、磁気テープ、または、他の何らかの磁気媒体、ＣＤ−ＲＯＭ、他の何らかの光媒体、マークのパターンを有する他の何らかの物理媒体、ＲＡＭ、ＰＲＯＭ、ＥＰＲＯＭ、ＦＬＡＳＨ−ＥＰＲＯＭ、他の何らかのメモリチップまたはカートリッジ、あるいは、コンピュータが命令および／またはコードを読み込むことができる他の何らかの媒体を含む。
【００９７】
［００１１１］
実行のために、１つ以上の命令の１つ以上のシーケンスをプロセッサ１２１０に運ぶ際に、さまざまな形態のコンピュータ読取可能媒体を伴ってもよい。単なる例として、命令は、最初に、遠隔コンピュータの磁気ディスクおよび／または光学ディスク上で運ばれてもよい。遠隔コンピュータは、そのダイナミックメモリ中に命令をロードし、送信媒体を通して、コンピュータシステム１２００により受信および／または実行される命令を信号として送ってもよい。
【００９８】
［００１１２］
通信サブシステム１２３０（および／またはそのコンポーネント）は、一般的に、信号を受信し、バス１２０５は、その後、信号（および／または、信号により運ばれる、データ、命令等）をワーキングメモリ１２３５に運んでもよく、プロセッサ１２１０は、ワーキングメモリ１２３５から、命令を取り出し、実行する。ワーキングメモリ１２３５により受け取られる命令は、オプション的に、プロセッサ１２１０による実行の前または後のいずれかに、非一時的記憶デバイス１２２５上に記憶されてもよい。
【００９９】
［００１１３］
コンピュータシステム１２００のコンポーネントを、ネットワークに渡って分散できることをさらに理解すべきである。例えば、いくつかの処理が、第１のプロセッサを使用して、１つのロケーション中で実行されてもよい一方で、他の処理は、第１のプロセッサから遠隔の別のプロセッサにより実行されてもよい。コンピュータシステム１２００の他のコンポ−ネントも、同様に分散されてもよい。このように、コンピュータシステム１２００は、複数のロケーションで処理を実行する分散コンピューティングシステムとして解釈してもよい。いくつかの例では、コンピュータシステム１２００は、文脈に依存して、別々のラップトップ、デスクトップコンピュータ、または、これらに類するもののような、単一のコンピューティングデバイスとして解釈してもよい。
【０１００】
［００１１４］
上記で説明した方法、システム、および、デバイスは、例である。さまざまなコンフィギュレーションは、適切に、さまざまな手順またはコンポーネントを省略、置換、または、追加してもよい。例えば、代替コンフィギュレーションでは、説明した順序と異なる順序で方法を実行してもよく、ならびに／あるいは、さまざまなステージを追加、省略、および／または、組み合わせてもよい。また、あるコンフィギュレーションに関して説明した特徴を、さまざまな他のコンフィギュレーションにおいて組み合わせてもよい。コンフィギュレーションの異なる態様およびエレメントを、類似する方法で組み合わせてもよい。また、テクノロジーは進化することから、エレメントの多くは例であり、本開示または特許請求の範囲の範囲を限定するものではない。
【０１０１】
［００１１５］
（インプリメンテーションを含む）例示的なコンフィギュレーションの完全な理解を提供するために、説明において、特定の詳細が与えられている。しかしながら、コンフィギュレーションは、これらの特定の詳細なしに実施することができる。例えば、周知の回路、プロセス、アルゴリズム、構造、および、技術は、コンフィギュレーションを曖昧にすることを避けるために、不必要な詳細なしで示されている。この説明は、例示的なコンフィギュレーションのみを提供し、特許請求の範囲の、範囲、適用可能性、または、コンフィギュレーションを限定しない。むしろ、コンフィギュレーションの先行する説明は、説明した技術の実現を可能にする説明を当業者に提供するだろう。本開示の精神および範囲から逸脱することなく、エレメントの機能およびアレンジメントにおいて、さまざまな変更を行ってもよい。
【０１０２】
［００１１６］
また、コンフィギュレーションを、フローダイヤグラムまたはブロックダイヤグラムとして描かれるプロセスとして説明してもよい。それぞれは、シーケンシャルなプロセスとしての動作を説明するかもしれないが、動作の多くは、並行して、または、同時に実行することができる。加えて、動作の順序を再構成してもよい。プロセスは、図面中には含まれていない追加のステップを有していてもよい。さらに、方法の例は、ハードウェア、ソフトウェア、ファームウェア、ミドルウェア、マイクロコード、ハードウェア記述言語、または、これらの何らかの組み合わせによって実現してもよい。ソフトウェア、ファームウェア、ミドルウェア、または、マイクロコードで実行されるとき、必要なタスクを実行するためのプログラムコードまたはコードセグメントは、記憶媒体のような、非一時的コンピュータ読取可能媒体中に記憶されてもよい。プロセッサは、説明したタスクを実行してもよい。
【０１０３】
［００１１７］
いくつかの例示的なコンフィギュレーションを説明してきたが、本開示の精神から逸脱することなく、さまざまな修正、代替構造、および均等物を使用してもよい。例えば、上記のエレメントは、より大きなシステムのコンポーネントであってもよく、他のルールが、本発明のアプリケーションよりも優先されてもよく、または、そうでなければ本発明のアプリケーションを修正してもよい。また、上記のエレメントが考慮される前に、間に、または後に、多くのステップに取り掛かってもよい。
【図１】
2018526910.tif 000003
【図２】
2018526910.tif 000004
【図３】
2018526910.tif 000005
【図４】
2018526910.tif 000006
【図５】
2018526910.tif 000007
【図６】
2018526910.tif 000008
【図７】
2018526910.tif 000009
【図８】
2018526910.tif 000010
【図９】
2018526910.tif 000011
【図１０】
2018526910.tif 000012
【図１１】
2018526910.tif 000013
【図１２】
2018526910.tif 000014
【手続補正書】
【提出日】平成30年4月25日(2018.4.25)
【手続補正１】
【補正対象書類名】特許請求の範囲
【補正対象項目名】全文
【補正方法】変更
【補正の内容】
【特許請求の範囲】
【請求項１】
１つ以上のトランシーバと衛星ポジショニングシステム（ＳＰＳ）受信機との共存を管理するための方法において、
第１の無線アクセステクノロジー（ＲＡＴ）にしたがい、第１の時間期間の間に、第１の周波数帯域において、前記１つ以上のトランシーバのうちの第１のトランシーバを使用して、パケットの送信をスケジューリングすることと、
前記第１の時間期間の間に、前記パケットの送信が、第１の共存ルールを破るだろうという決定に応答することと、
第２のＲＡＴにしたがい、前記第１の時間期間の間に、第２の周波数帯域において、前記パケットを送信することとを含み、
前記第１の共存ルールは、少なくとも前記第１のトランシーバ上の少なくとも前記第１のＲＡＴの動作による、前記ＳＰＳ受信機上の影響に対応する方法。
【請求項２】
前記第２のＲＡＴは、前記第２のＲＡＴにしたがう少なくとも第２のトランシーバの動作による、前記ＳＰＳ受信機上の影響に対応する第２の共存ルールに関係付けられている請求項１記載の方法。
【請求項３】
前記第１のＲＡＴおよび前記第２のＲＡＴは、共通のタイプのワイヤレスネットワークに対応し、前記第１の周波数帯域は、前記第２の周波数帯域とは異なる請求項１記載の方法。
【請求項４】
前記共通のタイプのワイヤレスネットワークは、ワイヤレスローカルエリアネットワーク（ＷＬＡＮ）を含む請求項３記載の方法。
【請求項５】
前記第１の共存ルールは、前記第１のＲＡＴを使用する前記第１のトランシーバと、第３のＲＡＴを使用する第２のトランシーバとの並行動作による、前記ＳＰＳ受信機上の影響に対応する請求項１記載の方法。
【請求項６】
前記第１のＲＡＴは、ワイヤレスローカルエリアネットワーク（ＷＬＡＮ）であり、前記第３のＲＡＴは、ワイヤレスワイドエリアネットワーク（ＷＷＡＮ）である請求項５記載の方法。
【請求項７】
前記第２のＲＡＴにしたがう前記パケットの送信は、前記ＳＰＳ受信機上の干渉を低減させる請求項１記載の方法。
【請求項８】
前記パケットの送信のために、１つ以上のＲＡＴの間から前記第２のＲＡＴを選択することをさらに含む請求項１記載の方法。
【請求項９】
前記第１のＲＡＴは、前記第１のトランシーバによる送信のためのプライマリーＲＡＴである請求項１記載の方法。
【請求項１０】
前記第１の共存ルールに基づいて、前記第１のＲＡＴ上で１つ以上の他のパケットを送信することをさらに含む請求項１記載の方法。
【請求項１１】
少なくとも前記第１のトランシーバ上の少なくとも前記第１のＲＡＴの動作が、干渉に寄与する請求項１記載の方法。
【請求項１２】
共存を管理する装置において、
衛星ポジショニングシステム（ＳＰＳ）受信機と、
１つ以上のトランシーバと、
メモリと、
前記ＳＰＳ受信機と前記１つ以上のトランシーバと前記メモリとに結合されている少なくとも１つのプロセッサとを具備し、
前記少なくとも１つのプロセッサは、
第１の無線アクセステクノロジー（ＲＡＴ）にしたがい、第１の時間期間の間に、第１の周波数帯域において、前記１つ以上のトランシーバのうちの第１のトランシーバを使用して、パケットの送信をスケジューリングするようにと、
前記第１の時間期間の間に、前記パケットの送信が、第１の共存ルールを破るだろうという決定に応答するようにと、
前記第１のＲＡＴにしたがう前記第１のトランシーバは、前記時間期間内に第１の周波数帯域を介してパケットを送信できないという決定に基づいて、第２のＲＡＴにしたがい、前記第１の時間期間の間に、第２の周波数帯域において、前記パケットを送信するように構成され、
前記第１の共存ルールは、少なくとも前記第１のトランシーバ上の少なくとも前記第１のＲＡＴの動作による、前記ＳＰＳ受信機上の影響に対応する装置。
【請求項１３】
前記第２のＲＡＴは、前記第２のＲＡＴにしたがう少なくとも第２のトランシーバの動作による、前記ＳＰＳ受信機上の影響に対応する第２の共存ルールに関係付けられている請求項１２記載の装置。
【請求項１４】
前記第１のＲＡＴおよび前記第２のＲＡＴは、共通のタイプのワイヤレスネットワークに対応し、前記第１の周波数帯域は、前記第２の周波数帯域とは異なる請求項１２記載の装置。
【請求項１５】
前記共通のタイプのワイヤレスネットワークは、ワイヤレスローカルエリアネットワーク（ＷＬＡＮ）を含む請求項１４記載の装置。
【請求項１６】
前記第１の共存ルールは、前記第１のＲＡＴを使用する前記第１のトランシーバと、第３のＲＡＴを使用する第２のトランシーバとの並行動作による、前記ＳＰＳ受信機上の影響に対応する請求項１２記載の装置。
【請求項１７】
前記第１のＲＡＴは、ワイヤレスローカルエリアネットワーク（ＷＬＡＮ）であり、前記第３のＲＡＴは、ワイヤレスワイドエリアネットワーク（ＷＷＡＮ）である請求項１６記載の装置。
【請求項１８】
前記第２のＲＡＴにしたがう前記パケットの送信は、前記ＳＰＳ受信機上の干渉を低減させる請求項１２記載の装置。
【請求項１９】
前記少なくとも１つのプロセッサは、前記パケットの送信のために、１つ以上のＲＡＴの間から前記第２のＲＡＴを選択するようにさらに構成されている請求項１２記載の装置。
【請求項２０】
前記第１のＲＡＴは、前記第１のトランシーバによる送信のためのプライマリーＲＡＴである請求項１２記載の装置。
【請求項２１】
前記少なくとも１つのプロセッサは、前記第１の共存ルールに基づいて、前記第１のＲＡＴ上で１つ以上の他のパケットを送信するようにさらに構成されている請求項１２記載の装置。
【請求項２２】
少なくとも前記第１のトランシーバ上の少なくとも前記第１のＲＡＴの動作が、干渉に寄与する請求項１２記載の装置。
【請求項２３】
１つ以上のトランシーバと衛星ポジショニングシステム（ＳＰＳ）受信機との共存を管理する装置において、
第１の無線アクセステクノロジー（ＲＡＴ）にしたがい、第１の時間期間の間に、第１の周波数帯域において、前記１つ以上のトランシーバのうちの第１のトランシーバを使用して、パケットの送信をスケジューリングする手段と、
前記第１の時間期間の間に、前記パケットの送信が、第１の共存ルールを破るだろうか否かを決定する手段と、
前記第１の時間期間の間に、前記パケットの送信が、前記第１の共存ルールを破るだろうという決定に応答して、第２のＲＡＴにしたがい、前記第１の時間期間の間に、第２の周波数帯域において、前記パケットを送信する手段とを具備し、
前記第１の共存ルールは、少なくとも前記第１のトランシーバ上の少なくとも前記第１のＲＡＴの動作による、前記ＳＰＳ受信機上の影響に対応する装置。
【請求項２４】
前記第２のＲＡＴは、前記第２のＲＡＴにしたがう少なくとも第２のトランシーバの動作による、前記ＳＰＳ受信機上の影響に対応する第２の共存ルールに関係付けられている請求項２３記載の装置。
【請求項２５】
前記第１のＲＡＴおよび前記第２のＲＡＴは、共通のタイプのワイヤレスネットワークに対応し、前記第１の周波数帯域は、前記第２の周波数帯域とは異なる請求項２３記載の装置。
【請求項２６】
前記共通のタイプのワイヤレスネットワークは、ワイヤレスローカルエリアネットワーク（ＷＬＡＮ）を含む請求項２５記載の装置。
【請求項２７】
前記第１の共存ルールは、前記第１のＲＡＴを使用する前記第１のトランシーバと、第３のＲＡＴを使用する第２のトランシーバとの並行動作による、前記ＳＰＳ受信機上の影響に対応する請求項２３記載の装置。
【請求項２８】
前記第１のＲＡＴは、ワイヤレスローカルエリアネットワーク（ＷＬＡＮ）であり、前記第３のＲＡＴは、ワイヤレスワイドエリアネットワーク（ＷＷＡＮ）である請求項２７記載の装置。
【請求項２９】
前記第２のＲＡＴにしたがう前記パケットの送信は、前記ＳＰＳ受信機上の干渉を低減させる請求項２３記載の装置。
【請求項３０】
１つ以上のトランシーバと衛星ポジショニングシステム（ＳＰＳ）受信機との共存を管理するための非一時的プロセッサ読取可能媒体において、
１つ以上のプロセッサに、
第１の無線アクセステクノロジー（ＲＡＴ）にしたがい、第１の時間期間の間に、第１の周波数帯域において、前記１つ以上のトランシーバのうちの第１のトランシーバを使用して、パケットの送信をスケジューリングさせ、
前記第１の時間期間の間に、前記パケットの送信が、第１の共存ルールを破るだろうという決定に応答させ、
第２のＲＡＴにしたがい、前記第１の時間期間の間に、第２の周波数帯域において、前記パケットを送信させるように構成されているプロセッサ読取可能命令を含み、
前記第１の共存ルールは、少なくとも前記第１のトランシーバ上の少なくとも前記第１のＲＡＴの動作による、前記ＳＰＳ受信機上の影響に対応する非一時的プロセッサ読取可能媒体。
【手続補正２】
【補正対象書類名】明細書
【補正対象項目名】０１０３
【補正方法】変更
【補正の内容】
【０１０３】
［００１１７］
いくつかの例示的なコンフィギュレーションを説明してきたが、本開示の精神から逸脱することなく、さまざまな修正、代替構造、および均等物を使用してもよい。例えば、上記のエレメントは、より大きなシステムのコンポーネントであってもよく、他のルールが、本発明のアプリケーションよりも優先されてもよく、または、そうでなければ本発明のアプリケーションを修正してもよい。また、上記のエレメントが考慮される前に、間に、または後に、多くのステップに取り掛かってもよい。
以下に、本願出願の当初の特許請求の範囲に記載された発明を付記する。
［１］  １つ以上のトランシーバと衛星ポジショニングシステム（ＳＰＳ）受信機との共存を管理するための方法において、
少なくとも第１の共存ルールに基づいて、第１の無線アクセステクノロジー（ＲＡＴ）にしたがう、前記１つ以上のトランシーバのうちの第１のトランシーバが、時間期間内に第１の周波数帯域を介して、パケットを送信することができるか否かを決定することと、
前記第１のＲＡＴにしたがう前記第１のトランシーバは、前記時間期間内に第１の周波数帯域を介してパケットを送信できないという決定に基づいて、第２のＲＡＴにしたがい、第２の周波数帯域を介して、前記パケットを送信することとを含み、
前記第１の共存ルールは、少なくとも前記第１のトランシーバ上の少なくとも前記第１のＲＡＴの動作による、前記ＳＰＳ受信機上の影響に対応する方法。
［２］  前記第２のＲＡＴは、前記第２のＲＡＴにしたがう少なくとも第２のトランシーバの動作による、前記ＳＰＳ受信機上の影響に対応する第２の共存ルールに関係付けられている［１］記載の方法。
［３］  前記第１のＲＡＴおよび前記第２のＲＡＴは、共通のタイプのワイヤレスネットワークに対応し、前記第１の周波数帯域は、前記第２の周波数帯域とは異なる［１］記載の方法。
［４］  前記共通のタイプのワイヤレスネットワークは、ワイヤレスローカルエリアネットワーク（ＷＬＡＮ）を含む［３］記載の方法。
［５］  前記第１の共存ルールは、前記第１のＲＡＴを使用する前記第１のトランシーバと、第３のＲＡＴを使用する第２のトランシーバとの並行動作による、前記ＳＰＳ受信機上の影響に対応する［１］記載の方法。
［６］  前記第１のＲＡＴは、ワイヤレスローカルエリアネットワーク（ＷＬＡＮ）であり、前記第３のＲＡＴは、ワイヤレスワイドエリアネットワーク（ＷＷＡＮ）である［５］記載の方法。
［７］  前記第２のＲＡＴにしたがう前記パケットの送信は、前記ＳＰＳ受信機上の干渉を低減させる［１］記載の方法。
［８］  前記パケットの送信のために、１つ以上のＲＡＴの間から前記第２のＲＡＴを選択することをさらに含む［１］記載の方法。
［９］  前記第１のＲＡＴは、前記第１のトランシーバによる送信のためのプライマリーＲＡＴである［１］記載の方法。
［１０］  前記第１の共存ルールに基づいて、前記第１のＲＡＴ上で１つ以上の他のパケットを送信することをさらに含む［１］記載の方法。
［１１］  少なくとも前記第１のトランシーバ上の少なくとも前記第１のＲＡＴの動作が、干渉に寄与する［１］記載の方法。
［１２］  共存を管理する装置において、
衛星ポジショニングシステム（ＳＰＳ）受信機と、
１つ以上のトランシーバと、
メモリと、
前記ＳＰＳ受信機と前記１つ以上のトランシーバと前記メモリとに結合されている少なくとも１つのプロセッサとを具備し、
前記少なくとも１つのプロセッサは、
少なくとも第１の共存ルールに基づいて、第１の無線アクセステクノロジー（ＲＡＴ）にしたがう、前記１つ以上のトランシーバのうちの第１のトランシーバが、時間期間内に第１の周波数帯域を介して、パケットを送信することができるか否かを決定するようにと、
前記第１のＲＡＴにしたがう前記第１のトランシーバは、前記時間期間内に第１の周波数帯域を介してパケットを送信できないという決定に基づいて、第２のＲＡＴにしたがい、第２の周波数帯域を介して、前記パケットを送信するように構成され、
前記第１の共存ルールは、少なくとも前記第１のトランシーバ上の少なくとも前記第１のＲＡＴの動作による、前記ＳＰＳ受信機上の影響に対応する装置。
［１３］  前記第２のＲＡＴは、前記第２のＲＡＴにしたがう少なくとも第２のトランシーバの動作による、前記ＳＰＳ受信機上の影響に対応する第２の共存ルールに関係付けられている［１２］記載の装置。
［１４］  前記第１のＲＡＴおよび前記第２のＲＡＴは、共通のタイプのワイヤレスネットワークに対応し、前記第１の周波数帯域は、前記第２の周波数帯域とは異なる［１２］記載の装置。
［１５］  前記共通のタイプのワイヤレスネットワークは、ワイヤレスローカルエリアネットワーク（ＷＬＡＮ）を含む［１４］記載の装置。
［１６］  前記第１の共存ルールは、前記第１のＲＡＴを使用する前記第１のトランシーバと、第３のＲＡＴを使用する第２のトランシーバとの並行動作による、前記ＳＰＳ受信機上の影響に対応する［１２］記載の装置。
［１７］  前記第１のＲＡＴは、ワイヤレスローカルエリアネットワーク（ＷＬＡＮ）であり、前記第３のＲＡＴは、ワイヤレスワイドエリアネットワーク（ＷＷＡＮ）である［１６］記載の装置。
［１８］  前記第２のＲＡＴにしたがう前記パケットの送信は、前記ＳＰＳ受信機上の干渉を低減させる［１２］記載の装置。
［１９］  前記少なくとも１つのプロセッサは、前記パケットの送信のために、１つ以上のＲＡＴの間から前記第２のＲＡＴを選択するようにさらに構成されている［１２］記載の装置。
［２０］  前記第１のＲＡＴは、前記第１のトランシーバによる送信のためのプライマリーＲＡＴである［１２］記載の装置。
［２１］  前記少なくとも１つのプロセッサは、前記第１の共存ルールに基づいて、前記第１のＲＡＴ上で１つ以上の他のパケットを送信するようにさらに構成されている［１２］記載の装置。
［２２］  少なくとも前記第１のトランシーバ上の少なくとも前記第１のＲＡＴの動作が、干渉に寄与する［１２］記載の装置。
［２３］  １つ以上のトランシーバと衛星ポジショニングシステム（ＳＰＳ）受信機との共存を管理する装置において、
少なくとも第１の共存ルールに基づいて、第１の無線アクセステクノロジー（ＲＡＴ）にしたがう、前記１つ以上のトランシーバのうちの第１のトランシーバが、時間期間内に第１の周波数帯域を介して、パケットを送信することができるか否かを決定する手段と、
前記第１のＲＡＴにしたがう前記第１のトランシーバは、前記時間期間内に第１の周波数帯域を介してパケットを送信できないという決定に基づいて、第２のＲＡＴにしたがい、第２の周波数帯域を介して、前記パケットを送信する手段とを具備し、
前記第１の共存ルールは、少なくとも前記第１のトランシーバ上の少なくとも前記第１のＲＡＴの動作による、前記ＳＰＳ受信機上の影響に対応する装置。
［２４］  前記第２のＲＡＴは、前記第２のＲＡＴにしたがう少なくとも第２のトランシーバの動作による、前記ＳＰＳ受信機上の影響に対応する第２の共存ルールに関係付けられている［２３］記載の装置。
［２５］  前記第１のＲＡＴおよび前記第２のＲＡＴは、共通のタイプのワイヤレスネットワークに対応し、前記第１の周波数帯域は、前記第２の周波数帯域とは異なる［２３］記載の装置。
［２６］  前記共通のタイプのワイヤレスネットワークは、ワイヤレスローカルエリアネットワーク（ＷＬＡＮ）を含む［２５］記載の装置。
［２７］  前記第１の共存ルールは、前記第１のＲＡＴを使用する前記第１のトランシーバと、第３のＲＡＴを使用する第２のトランシーバとの並行動作による、前記ＳＰＳ受信機上の影響に対応する［２３］記載の装置。
［２８］  前記第１のＲＡＴは、ワイヤレスローカルエリアネットワーク（ＷＬＡＮ）であり、前記第３のＲＡＴは、ワイヤレスワイドエリアネットワーク（ＷＷＡＮ）である［２７］記載の装置。
［２９］  前記第２のＲＡＴにしたがう前記パケットの送信は、前記ＳＰＳ受信機上の干渉を低減させる［２３］記載の装置。
［３０］  １つ以上のトランシーバと衛星ポジショニングシステム（ＳＰＳ）受信機との共存を管理するための非一時的プロセッサ読取可能媒体において、
１つ以上のプロセッサに、
少なくとも第１の共存ルールに基づいて、第１の無線アクセステクノロジー（ＲＡＴ）にしたがう、前記１つ以上のトランシーバのうちの第１のトランシーバが、時間期間内に第１の周波数帯域を介して、パケットを送信することができるか否かを決定させ、
前記第１のＲＡＴにしたがう前記第１のトランシーバは、前記時間期間内に第１の周波数帯域を介してパケットを送信できないという決定に基づいて、第２のＲＡＴにしたがい、第２の周波数帯域を介して、前記パケットを送信させるように構成されているプロセッサ読取可能命令を含み、
前記第１の共存ルールは、少なくとも前記第１のトランシーバ上の少なくとも前記第１のＲＡＴの動作による、前記ＳＰＳ受信機上の影響に対応する非一時的プロセッサ読取可能媒体。
【国際調査報告】
2018526910.tif 000015
2018526910.tif 000016
2018526910.tif 000017